(57)【要約】【課題】サイトへのアクセスに対する動機付けと、遊技機での遊技に対する動機付けの相乗効果を得ること。【解決手段】遊技機１にて出力される特別アクセス情報を入力するための特別アクセス情報入力手段４６５を備え、インターネット網１１９への接続機能を有する遊技者の携帯端末４００と、階携帯端末４００からのインターネット網１１９を介した任意アクセスに応じて提供情報を提供するとともに、特別アクセス情報に基づく特別アクセスに応じて対応する所定のサービスを提供するサービス提供装置１１６と、から成るサービス提供システムであって、携帯端末４００は、前記任意アクセスの実施に基づいて、該任意アクセスを実施したことを特定可能な任意アクセス情報を記憶し、前記特別アクセス情報の入力に応じて、任意アクセス情報が記憶されているか否かを判定して、記憶されていると判定されたことを条件に特別アクセスを実施する。【選択図】図９
2008200062.tif 000002
【特許請求の範囲】
【請求項１】
遊技者が遊技可能な遊技機から所定条件の成立に応じて出力される特別アクセス情報を入力するための特別アクセス情報入力手段と、インターネット網に接続されたサーバコンピュータにアクセスするためのデータ通信手段とを備え、前記遊技者が携行可能とされた携帯端末と、
前記インターネット網に接続され、前記携帯端末からの前記インターネット網を介した任意アクセスに応じて予め記憶されている提供情報を提供する提供情報配信手段と、前記携帯端末からの前記インターネット網を介した特別アクセスに応じて、当該特別アクセス情報に対応する所定のサービスを提供するサービス提供手段とを備えるサービス提供装置と、
から成るサービス提供システムであって、
前記携帯端末は、
前記サービス提供装置への前記任意アクセスの実施に基づいて、該任意アクセスを実施したことを特定可能な任意アクセス情報を記憶する任意アクセス情報記憶手段と、
前記特別アクセス情報入力手段への特別アクセス情報の入力を条件に、前記任意アクセス情報記憶手段に任意アクセス情報が記憶されているか否かを判定する判定手段と、
を備え、該判定手段によって記憶されていると判定されたことを条件に、前記サービス提供装置に対して特別アクセスを実施することで、前記所定のサービスの提供を受けることを特徴とするサービス提供システム。
【請求項２】
前記携帯端末は、前記判定手段によって任意アクセス情報が記憶されていないと判定されたことに基づき、前記所定のサービスの提供には前記任意アクセスが必要である旨を少なくとも含む誘導情報を表示する誘導情報表示手段を備えることを特徴とする請求項１に記載のサービス提供システム。
【請求項３】
前記サービス提供装置は、前記提供情報として遊技機の各機種毎の機種情報を提供するとともに、前記携帯端末が遊技機から取得する前記特別アクセス情報には、該遊技機の機種を特定可能な機種特定情報が含まれており、
前記任意アクセス情報記憶手段は、前記任意アクセスに応じて前記サービス提供装置から提供された機種情報に対応する機種を特定可能な機種識別情報を記憶し、
前記判定手段は、さらに、前記特別アクセス情報に含まれる機種特定情報から特定される機種の機種識別情報が前記任意アクセス情報記憶手段に記憶されているか否かを判定し、
前記携帯端末は、前記判定手段によって前記特別アクセス情報に含まれる機種特定情報から特定される機種の機種識別情報が記憶されていると判定されたことを条件に、前記サービス提供装置に対して特別アクセスを実施することを特徴とする請求項１または２に記載のサービス提供システム。
【請求項４】
前記サービス提供装置は、
前記遊技者から電子メールアドレスの登録を受付ける電子メールアドレス登録受付け手段と、
該電子メールアドレス登録受付け手段にて受付けた電子メールアドレスを記憶する電子メールアドレス記憶手段と、
前記提供情報として提供する新たな機種の機種情報が追加されたことに応じて、前記電子メールアドレス記憶手段に記憶している電子メールアドレスに対して、新たな機種情報が追加された旨を通知する更新メールを送信する更新メール送信手段と、
を備えることを特徴とする請求項３に記載のサービス提供システム。
【請求項５】
前記携帯端末は、前記特別アクセス情報入力手段への特別アクセス情報の入力を条件に、当該特別アクセス情報に含まれる機種特定情報から特定される機種の数を計数するサービス提供機種数計数手段を備えるとともに、前記特別アクセスにおいて、前記サービス提供機種数計数手段にて計数された機種数を前記サービス提供装置に送信し、
前記サービス提供手段は、前記特別アクセスにおいて前記携帯端末から受信した機種数に応じた所定サービスを提供することを特徴とする請求項３または４に記載のサービス提供システム。
【請求項６】
前記携帯端末は、前記サービス提供手段による前記所定のサービスの提供を受けたことを条件に、前記判定手段における判定の対象とした任意アクセス情報の任意アクセス情報記憶手段における記憶を、無かったものとみなすための処理を実施する任意アクセス情報無効化手段を備えることを特徴とする請求項１〜５のいずれかに記載のサービス提供システム。
【請求項７】
前記特別アクセス情報には、個々の特別アクセス情報を識別可能な特別アクセス識別情報が含まれており、
前記携帯端末は、前記特別アクセス情報入力手段への前記特別アクセス識別情報が異なる特別アクセス情報の入力回数、又は、該特別アクセス識別情報が異なる特別アクセス情報に基づく前記特別アクセスを実施した実施回数を計数する計数手段を備えるとともに、前記特別アクセスにおいて前記計数手段にて計数された前記入力回数、又は前記実施回数を前記サービス提供装置に送信し、
前記サービス提供手段は、前記特別アクセスにおいて前記携帯端末から受信した前記入力回数、又は前記実施回数に応じた所定サービスを提供することを特徴とする請求項１〜６のいずれかに記載のサービス提供システム。
【請求項８】
遊技者が遊技可能な遊技機から所定条件の成立に応じて出力される特別アクセス情報を入力するための特別アクセス情報入力手段と、
インターネット網に接続され、該インターネット網を介した任意アクセスに応じて予め記憶されている提供情報を提供するとともに、前記特別アクセス情報入力手段から入力された特別アクセス情報に基づく前記インターネット網を介した特別アクセスに応じて、当該特別アクセス情報に対応する所定のサービスを提供するサービス提供装置にアクセスするためのデータ通信手段と、
前記サービス提供装置への前記任意アクセスの実施に基づいて、該任意アクセスを実施したことを特定可能な任意アクセス情報を記憶する任意アクセス情報記憶手段と、
前記特別アクセス情報入力手段への特別アクセス情報の入力を条件に、前記任意アクセス情報記憶手段に任意アクセス情報が記憶されているか否かを判定する判定手段と、
を備え、
前記遊技者が携行可能とされるとともに、前記判定手段によって記憶されていると判定されたことを条件に、前記サービス提供装置に対して特別アクセスを実施することで、前記所定のサービスの提供を受けることを特徴とする携帯端末。
【請求項９】
遊技者が遊技可能な遊技機から所定条件の成立に応じて出力される特別アクセス情報を入力するための特別アクセス情報入力手段と、インターネット網に接続され、該インターネット網を介した任意アクセスに応じて予め記憶されている提供情報を提供するとともに、前記特別アクセス情報入力手段から入力された特別アクセス情報に基づく前記インターネット網を介した特別アクセスに応じて、当該特別アクセス情報に対応する所定のサービスを提供するサービス提供装置にアクセスするためのデータ通信手段と、を備え、前記遊技者が携行可能とされた携帯端末において実行される携帯端末用プログラムであって、
前記携帯端末を、
前記サービス提供装置への前記任意アクセスの実施に基づいて、該任意アクセスを実施したことを特定可能な任意アクセス情報を記憶する任意アクセス情報記憶手段と、
前記特別アクセス情報入力手段への特別アクセス情報の入力を条件に、前記任意アクセス情報記憶手段において任意アクセス情報が記憶されているか否かを判定する判定手段と、
前記判定手段によって記憶されていると判定されたことを条件に、前記サービス提供装置に対して特別アクセスを実施する特別アクセス実行手段と、
して機能させることを特徴とする携帯端末用プログラム。
【請求項１０】
インターネット網に接続されたサービス提供装置において実行され、
該サービス提供装置を、
遊技者が携行可能とされた携帯端末からの前記インターネット網を介した任意アクセスに応じて予め記憶されている提供情報を提供する提供情報配信手段と、
前記遊技者が遊技可能な遊技機から所定条件の成立に応じて出力される特別アクセス情報に基づく前記インターネット網を介した特別アクセスに応じて、当該特別アクセス情報に対応する所定のサービスを提供するサービス提供手段と、
して機能させる提供装置用プログラムと、
前記特別アクセス情報を入力するための特別アクセス情報入力手段と、前記インターネット網を介して前記サービス提供装置にアクセスするためのデータ通信手段とを備える前記携帯端末において実行され、
該携帯端末を、
前記サービス提供装置への前記任意アクセスの実施に基づいて、該任意アクセスを実施したことを特定可能な任意アクセス情報を記憶する任意アクセス情報記憶手段と、
前記特別アクセス情報入力手段への特別アクセス情報の入力を条件に、前記任意アクセス情報記憶手段において任意アクセス情報が記憶されているか否かを判定する判定手段と、
前記判定手段によって記憶されていると判定されたことを条件に、前記サービス提供装置に対して特別アクセスを実施する特別アクセス実行手段と、
して機能させる携帯端末用プログラムと、
から成ることを特徴とするサービス提供システム用プログラム。
【発明の詳細な説明】
【技術分野】
【０００１】
本発明は、遊技場等に設置される遊技機と連携して、遊技者に対して所定のサービスを提供するためのサービス提供システム、携帯端末、携帯端末用プログラムおよびサービス提供システム用プログラムに関する。
【背景技術】
【０００２】
従来、遊技場等に設置される遊技機と連携して、遊技者に対して所定のサービスを提供するものとして、遊技機において大当り（ビッグボーナス）が発生すると、該遊技機に搭載されている液晶画面に、特定のサイトのＵＲＬが符号化された二次元バーコードが表示され、遊技者は、該表示された二次元バーコードを携帯電話機により読み取って、該二次元バーコードに符号化されているＵＲＬのサイトにアクセスして、所定のサービス、例えば、携帯電話機の待ち受け画面コンテンツの取得サービスや、高設定の遊技機の台番号等の情報の提供サービスを受けられるようにするものがある（例えば、特許文献１参照）。
【０００３】
一方、近年においては、インターネット接続機能を有する携帯電話機の普及に伴い、遊技者の殆どが、これらインターネット接続機能を有する携帯電話機を所持していることから、遊技機のメーカー等が、遊技場に設置されている遊技機のスペック等の、遊技機に関する情報を提供することがなされている。
【０００４】
【特許文献１】特開２００６−６１６１１号公報（第１２〜１３頁、第１５図）
【非特許文献１】ＳＡＮＫＹＯモバイルサイト、［online］、［２００７年０１月２４日］、インターネット＜ＵＲＬ：http://www.sankyo-fever.co.jp/mobile/index.html＞
【発明の開示】
【発明が解決しようとする課題】
【０００５】
上記した特許文献１に示すような遊技機を提供するメーカーが、非特許文献１に示すようなサイトを運営している場合において、特許文献１に示す遊技機にてＵＲＬを提供しても非特許文献１に示すサイトを遊技者が閲覧する動機付けとすることが難しいという問題がある一方、非特許文献１に示すようなサイトにあっては、該サイトにアクセスしてきた遊技者に対して、遊技機のスペック等の遊技機に関する情報を提供できるものの、情報提供した遊技機を遊技してもらうための動機付けとしては十分な効果が得られない場合があるという問題があり、このように従来においては、双方が個別に運用されているので、双方による相乗効果を得ることができないという問題があった。
【０００６】
本発明は、このような問題点に着目してなされたもので、遊技機での遊技がサイトにアクセスすることに対する動機付けになるとともに、サイトへのアクセスが遊技機において遊技することに対する動機付けとなるといった相乗効果を得ることのできるサービス提供システム、携帯端末、携帯端末用プログラムおよびサービス提供システム用プログラムを提供することを目的とする。
【課題を解決するための手段】
【０００７】
上記課題を解決するために、本発明の請求項１に記載のサービス提供システムは、
遊技者が遊技可能な遊技機（パチンコ機１）から所定条件の成立（大当り状態の終了）に応じて出力（表示）される特別アクセス情報（二次元バーコード）を入力するための特別アクセス情報入力手段（撮像部４６５）と、インターネット網（１１９）に接続されたサーバコンピュータ（サイトサーバ１１６）にアクセスするためのデータ通信手段（ディジタル信号処理部４５３、ＲＦ入出力部４５４）とを備え、前記遊技者が携行可能とされた携帯端末（携帯電話機４００）と、
前記インターネット網に接続され、前記携帯端末からの前記インターネット網を介した任意アクセス（一次アクセス）に応じて予め記憶されている提供情報（機種情報）を提供する提供情報配信手段（ＣＰＵ１８２、機種情報ページ配信処理）と、前記携帯端末からの前記インターネット網を介した特別アクセスに応じて、当該特別アクセス情報に対応する所定のサービスを提供するサービス提供手段（ＣＰＵ１８２、提供コンテンツ配信処理、サービス提供メール送信処理）とを備えるサービス提供装置（サイトサーバ１１６）と、
から成るサービス提供システムであって、
前記携帯端末は、
前記サービス提供装置への前記任意アクセスの実施に基づいて、該任意アクセスを実施したことを特定可能な任意アクセス情報（機種ＩＤ）を記憶する任意アクセス情報記憶手段（制御部４５５、第１アクセス情報テーブル更新処理、第１アクセス情報テーブル）と、
前記特別アクセス情報入力手段への特別アクセス情報の入力を条件に、前記任意アクセス情報記憶手段に任意アクセス情報が記憶されているか否かを判定する判定手段（制御部４５５、判定処理）と、
を備え、該判定手段によって記憶されていると判定されたことを条件に、前記サービス提供装置に対して特別アクセスを実施することで、前記所定のサービスの提供を受けることを特徴している。
この特徴によれば、任意アクセス情報記憶手段に任意アクセスによる任意アクセス情報が記憶されているときに、所定のサービスが提供されるようになるので、遊技者は、所定のサービスを受けるために、特別アクセス情報の取得による特別アクセスの実施以前にサービス提供装置に任意アクセスすることが必要とされることから、サービス提供装置に任意アクセスすることに対する動機付けを遊技者に対して実施できるとともに、サービス提供装置に任意アクセスした遊技者が、所定のサービスの提供を受けるためには、遊技機において遊技を実施して特別アクセス情報を取得する必要があることから、遊技機において実際に遊技することに対する動機付けを遊技者に対して実施できるという相乗効果を得ることができる。
【０００８】
本発明の請求項２に記載のサービス提供システムは、請求項１に記載のサービス提供システムであって、
前記携帯端末（携帯電話機４００）は、前記判定手段（制御部４５５、判定処理）によって任意アクセス情報（機種ＩＤ）が記憶されていないと判定されたことに基づき、前記所定のサービス（提供コンテンツ）の提供には前記任意アクセス（一次アクセス）が必要である旨を少なくとも含む誘導情報（誘導ページ）を表示する誘導情報表示手段（表示部４５６）を備えることを特徴としている。
この特徴によれば、任意アクセスすることなく特別アクセスを実施した遊技者、例えば、所定のサービスの提供にはサービス提供装置に任意アクセスする必要があることを知らない遊技者や、サービス提供装置の存在を知らない遊技者を、誘導情報を表示することによりサービス提供装置に任意アクセスさせることができるようになるので、サービス提供装置への任意アクセス数をより増加させることができる。
【０００９】
本発明の請求項３に記載のサービス提供システムは、請求項１または２に記載のサービス提供システムであって、
前記サービス提供装置（サイトサーバ１１６）は、前記提供情報として遊技機の各機種毎の機種情報（機種情報ページ）を提供するとともに、前記携帯端末（携帯電話機４００）が遊技機（パチンコ機１）から取得する前記特別アクセス情報（二次元バーコード）には、該遊技機の機種を特定可能な機種特定情報（機種ＩＤ）が含まれており、
前記任意アクセス情報記憶手段（制御部４５５、第１アクセス情報テーブル更新処理）は、前記任意アクセスに応じて前記サービス提供装置から提供された機種情報に対応する機種を特定可能な機種識別情報（機種ＩＤ）を記憶し、
前記判定手段（制御部４５５、判定処理）は、さらに、前記特別アクセス情報に含まれる機種特定情報から特定される機種の機種識別情報が前記任意アクセス情報記憶手段に記憶されているか否かを判定し、
前記携帯端末（携帯電話機４００）は、前記判定手段によって前記特別アクセス情報に含まれる機種特定情報から特定される機種の機種識別情報が記憶されていると判定されたことを条件に、前記サービス提供装置（サイトサーバ１１６）に対して特別アクセスを実施することを特徴としている。
この特徴によれば、予めサービス提供装置にて提供を受けた機種情報に対応する機種で遊技を実施した場合において、該機種に対応した所定のサービスが提供されるようになるので、より多くの機種を遊技することに対する動機付けを遊技者に対して実施できる。
【００１０】
本発明の請求項４に記載のサービス提供システムは、請求項１〜３のいずれかに記載のサービス提供システムであって、
前記サービス提供装置（サイトサーバ１１６）は、
前記遊技者から電子メールアドレスの登録を受付ける電子メールアドレス登録受付け手段（ＣＰＵ１８２、会員登録受付け処理）と、
該電子メールアドレス登録受付け手段にて受付けた電子メールアドレスを記憶する電子メールアドレス記憶手段（サイト会員情報テーブル）と、
前記提供情報として提供する新たな機種の機種情報が追加されたことに応じて、前記電子メールアドレス記憶手段に記憶している電子メールアドレスに対して、新たな機種情報が追加された旨を通知する更新メール（新規機種登録通知メール）を送信する更新メール送信手段（ＣＰＵ１８２、新規機種登録通知メール送信処理）と、
を備えることを特徴としている。
この特徴によれば、新たな機種の機種情報が追加されたことを各遊技者に対して迅速に通知できるので、遊技者は、これら新機種についても特別アクセス情報を取得する以前に、事前に該新機種の機種情報の提供を受けられるようになるので、該新機種に対応した所定のサービスを受ける事が出来る。
【００１１】
本発明の請求項５に記載のサービス提供システムは、請求項１〜４のいずれかに記載のサービス提供システムであって、
前記携帯端末（携帯電話機４００）は、前記特別アクセス情報入力手段（撮像部４６５）への特別アクセス情報（二次元バーコード）の入力を条件に、当該特別アクセス情報に含まれる機種特定情報（機種ＩＤ）から特定される機種の数（サービス被提供機種数）を計数するサービス提供機種数計数手段（制御部４５５、第２アクセス情報テーブル更新処理、第２アクセス情報テーブル）を備えるとともに、前記特別アクセスにおいて、前記サービス提供機種数計数手段にて計数された機種数（サービス被提供機種数）を前記サービス提供装置（サイトサーバ１１６）に送信し、
前記サービス提供手段は、前記特別アクセスにおいて前記携帯端末から受信した機種数に応じた所定サービス（プレゼント景品の申し込みをするためのサービス提供メールの送信サービス）を提供することを特徴としている。
この特徴によれば、計数された機種数に応じた所定サービスが提供されるので、より多くの機種を遊技することに対する動機付けを遊技者に対して実施できる。
【００１２】
本発明の請求項６に記載のサービス提供システムは、請求項１〜５のいずれかに記載のサービス提供システムであって、
前記携帯端末（携帯電話機４００）は、前記サービス提供手段（ＣＰＵ１８２、提供コンテンツ配信処理、サービス提供メール送信処理）による前記所定のサービスの提供を受けたことを条件に、前記判定手段（制御部４５５、判定処理）における判定の対象とした任意アクセス情報（機種ＩＤ）の任意アクセス情報記憶手段（制御部４５５、第１アクセス情報テーブル更新処理、第１アクセス情報テーブル）における記憶を、無かったものとみなすための処理（第１アクセス情報消去処理）を実施する任意アクセス情報無効化手段（制御部４５５）を備えることを特徴としている。
この特徴によれば、所定のサービスの提供毎に任意アクセスが必要となるので、サービス提供装置への任意アクセス数を増加させることができる。
【００１３】
本発明の請求項７に記載のサービス提供システムは、請求項１〜６のいずれかに記載のサービス提供システムであって、
前記特別アクセス情報（二次元バーコード）には、個々の特別アクセス情報を識別可能な特別アクセス識別情報（タイムスタンプデータ）が含まれており、
前記携帯端末（携帯電話機４００）は、前記特別アクセス情報入力手段（撮像部４６５）への前記特別アクセス識別情報が異なる特別アクセス情報の入力回数、又は、該特別アクセス識別情報が異なる特別アクセス情報に基づく前記特別アクセスを実施した実施回数を計数する計数手段（制御部４５５、第２アクセス情報テーブル更新処理、第２アクセス情報テーブル）を備えるとともに、前記特別アクセスにおいて前記計数手段にて計数された前記入力回数、又は前記実施回数を前記サービス提供装置（サイトサーバ１１６）に送信し、
前記サービス提供手段（ＣＰＵ１８２、提供コンテンツ配信処理）は、前記特別アクセスにおいて前記携帯端末から受信した前記入力回数、又は前記実施回数に応じた所定サービス（提供コンテンツ特定処理において特定した提供コンテンツ）を提供することを特徴としている。
この特徴によれば、特別アクセス情報の取得による入力回数、又は該取得した特別アクセス情報に基づく特別アクセスの実施回数に応じたサービスが提供されるようになるので、遊技機において繰返し遊技を行うことに対する動機付けを遊技者に対して実施できる。
【００１４】
本発明の請求項８に記載の携帯端末は、
遊技者が遊技可能な遊技機（パチンコ機１）から所定条件の成立（大当り状態の終了）に応じて出力される特別アクセス情報（二次元バーコード）を入力するための特別アクセス情報入力手段（撮像部４６５）と、
インターネット網（１１９）に接続され、該インターネット網を介した任意アクセス（一次アクセス）に応じて予め記憶されている提供情報（機種情報）を提供するとともに、前記特別アクセス情報入力手段から入力された特別アクセス情報に基づく前記インターネット網を介した特別アクセスに応じて、当該特別アクセス情報に対応する所定のサービス（提供コンテンツ）を提供するサービス提供装置（サイトサーバ１１６）にアクセスするためのデータ通信手段（ディジタル信号処理部４５３、ＲＦ入出力部４５４）と、
前記サービス提供装置への前記任意アクセス（一次アクセス）の実施に基づいて、該任意アクセスを実施したことを特定可能な任意アクセス情報（機種ＩＤ）を記憶する任意アクセス情報記憶手段（制御部４５５、第１アクセス情報テーブル更新処理、第１アクセス情報テーブル）と、
前記特別アクセス情報入力手段への特別アクセス情報の入力を条件に、前記任意アクセス情報記憶手段に任意アクセス情報が記憶されているか否かを判定する判定手段（制御部４５５、判定処理）と、
を備え、
前記遊技者が携行可能とされるとともに、前記判定手段によって記憶されていると判定されたことを条件に、前記サービス提供装置に対して特別アクセスを実施することで、前記所定のサービス（提供コンテンツ）の提供を受けることを特徴としている。
この特徴によれば、サービス提供装置に任意アクセスすることに対する動機付けを遊技者に対して実施できるとともに遊技機において実際に遊技することに対する動機付けを遊技者に対して実施できるという相乗効果を得ることができるサービス提供システムを構成する端末装置を提供できる。
【００１５】
本発明の請求項９に記載の携帯端末用プログラムは、
遊技者が遊技可能な遊技機（パチンコ機１）から所定条件の成立（大当り状態の終了）に応じて出力される特別アクセス情報（二次元バーコード）を入力するための特別アクセス情報入力手段（撮像部４６５）と、インターネット網（１１９）に接続され、該インターネット網を介した任意アクセス（一次アクセス）に応じて予め記憶されている提供情報（機種情報）を提供するとともに、前記特別アクセス情報入力手段から入力された特別アクセス情報に基づく前記インターネット網を介した特別アクセスに応じて、当該特別アクセス情報に対応する所定のサービス（提供コンテンツ）を提供するサービス提供装置（サイトサーバ１１６）にアクセスするためのデータ通信手段（ディジタル信号処理部４５３、ＲＦ入出力部４５４）と、を備え、前記遊技者が携行可能とされた携帯端末（携帯電話機４００）において実行される携帯端末用プログラム（制御プログラム、プラグインモジュールプログラム）であって、
前記携帯端末を、
前記サービス提供装置への前記任意アクセスの実施に基づいて、該任意アクセスを実施したことを特定可能な任意アクセス情報（機種ＩＤ）を記憶する任意アクセス情報記憶手段（制御部４５５、第１アクセス情報テーブル更新処理）と、
前記特別アクセス情報入力手段への特別アクセス情報の入力を条件に、前記任意アクセス情報記憶手段において任意アクセス情報が記憶されているか否かを判定する判定手段（制御部４５５、判定処理）と、
前記判定手段によって記憶されていると判定されたことを条件に、前記サービス提供装置に対して特別アクセスを実施する特別アクセス実行手段（制御部４５５、ＨＴＴＰリクエスト送信処理）と、
して機能させることを特徴としている。
この特徴によれば、サービス提供装置に任意アクセスすることに対する動機付けを遊技者に対して実施できるとともに遊技機において実際に遊技することに対する動機付けを遊技者に対して実施できるという相乗効果を得ることができるサービス提供システムを構成する端末装置を容易に提供できる。
【００１６】
本発明の請求項１０に記載のサービス提供システム用プログラムは、
インターネット網（１１９）に接続されたサービス提供装置（サイトサーバ１１６）において実行され、
該サービス提供装置を、
遊技者が携行可能とされた携帯端末（携帯電話機４００）からの前記インターネット網を介した任意アクセス（一次アクセス）に応じて予め記憶されている提供情報（機種情報）を提供する提供情報配信手段（ＣＰＵ１８２、機種情報ページ配信処理）と、
前記遊技者が遊技可能な遊技機（パチンコ機１）から所定条件の成立（大当り状態の終了）に応じて出力される特別アクセス情報（二次元バーコード）に基づく前記インターネット網を介した特別アクセスに応じて、当該特別アクセス情報に対応する所定のサービスを提供するサービス提供手段（ＣＰＵ１８２、提供コンテンツ配信処理）と、
して機能させる提供装置用プログラム（処理プログラム）と、
前記特別アクセス情報を入力するための特別アクセス情報入力手段（撮像部４６５）と、前記インターネット網を介して前記サービス提供装置にアクセスするためのデータ通信手段（ディジタル信号処理部４５３、ＲＦ入出力部４５４）とを備える前記携帯端末において実行され、
該携帯端末を、
前記サービス提供装置への前記任意アクセス（一次アクセス）の実施に基づいて、該任意アクセスを実施したことを特定可能な任意アクセス情報（機種ＩＤ）を記憶する任意アクセス情報記憶手段（制御部４５５、第１アクセス情報テーブル更新処理）と、
前記特別アクセス情報入力手段への特別アクセス情報の入力を条件に、前記任意アクセス情報記憶手段において任意アクセス情報が記憶されているか否かを判定する判定手段（制御部４５５、判定処理）と、
前記判定手段によって記憶されていると判定されたことを条件に、前記サービス提供装置に対して特別アクセスを実施する特別アクセス実行手段（制御部４５５、ＨＴＴＰリクエスト送信処理）と、
して機能させる携帯端末用プログラム（制御プログラム、プラグインモジュールプログラム）と、
から成ることを特徴としている。
この特徴によれば、任意アクセス情報記憶手段に任意アクセスによる任意アクセス情報が記憶されているときに、所定のサービスが提供されるようになるので、遊技者は、所定のサービスを受けるために、特別アクセス情報の取得による特別アクセスの実施以前にサービス提供装置に任意アクセスすることが必要とされることから、サービス提供装置に任意アクセスすることに対する動機付けを遊技者に対して実施できるとともに、サービス提供装置に任意アクセスした遊技者が、所定のサービスの提供を受けるためには、遊技機において遊技を実施して特別アクセス情報を取得する必要があることから、遊技機において実際に遊技することに対する動機付けを遊技者に対して実施できるという相乗効果を得ることができるサービス提供システムを容易に提供できる。
【発明を実施するための最良の形態】
【００１７】
本発明の実施例を以下に説明する。
【実施例】
【００１８】
本発明の実施例を図面に基づいて説明すると、先ず図1は、本実施例におけるサービス提供システムの構成を示すシステム構成図であり、本実施例のサービス提供システムは、図１に示すように、各遊技場に設置された遊技機であるパチンコ機１と、該パチンコ機１において遊技する遊技者が携行可能とされた本発明における携帯端末である携帯電話機４００と、インターネット網１１９に接続され、前記パチンコ機１や図示しないスロットマシン等の遊技機のメーカーが運営するサイトを構成する本発明におけるサービス提供装置を成すサイトサーバ１１６と、から主に構成されている。
【００１９】
また、各遊技場には、当該遊技場において会員となっている会員遊技者に関する情報を管理するための会員管理コンピュータ１２０が設けられており、これら各遊技場の会員管理コンピュータ１２０とサイトサーバ１１６とが、通信回線１１１を介して接続されていて、各遊技場の会員管理コンピュータ１２０とサイトサーバ１１６とが互いにデータの送受を実施できるようになっている。
【００２０】
まず、本実施例のサービス提供システムに用いたパチンコ機１について以下に説明すると、パチンコ機１は、縦長の方形状に形成された外枠（図示せず）と、外枠の内側に開閉可能に取り付けられた遊技枠とで構成される。また、パチンコ機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００２１】
図２に示すように、パチンコ機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４と遊技球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。尚、図１並びに図２中の３００は、パチンコ機１に隣接して１対１に設けられて、プリペイドカードや現金を投入することで玉貸を受けられるようにするためのカードユニットである。
【００２２】
遊技領域７の中央付近には、所定の始動条件の成立（例えば、打球が第１始動入賞口１３または第２始動入賞口１４に入賞したこと）にもとづいて各々を識別可能な複数種類の演出用の飾り図柄を可変（変動）表示し表示結果を導出表示する可変表示装置９が配置されている。
【００２３】
尚、本実施例の可変表示装置９は液晶表示装置（ＬＣＤ）により構成され、左・中・右の３つの表示領域（飾り図柄表示エリア）に飾り図柄が表示制御されるように構成されている。なお、入賞とは、入賞口などのあらかじめ入賞領域として定められている領域に遊技球が入ったことである。また、表示結果を導出表示するとは、図柄を停止表示させることである（いわゆる再変動の前の仮停止を除く）。
【００２４】
本実施例では、可変表示装置９の３つの表示領域に表示される飾り図柄として、「０」〜「９」の数字の図柄を用いている。飾り図柄の可変表示（変動）中、原則として、「０」〜「９」の飾り図柄が番号順に表示される。
【００２５】
可変表示装置９の上部には、識別情報としての特別図柄を可変表示する特別図柄表示器（特別図柄表示装置）８が設けられている。尚、本実施例では、特別図柄表示器８は、例えば「０」〜「９」の数字を可変表示可能な簡易で小型の表示器（例えば７セグメントＬＥＤ）で実現されている。特別図柄表示器８は、遊技者に特定の停止図柄を把握しづらくさせるために、「０」〜「９９」など、より多種類の数字を可変表示するように構成されていてもよい。
【００２６】
可変表示装置９は、特別図柄表示器８による特別図柄の可変表示期間中に、装飾用（演出用）の図柄としての飾り図柄の可変（変動）表示を行う。飾り図柄の可変表示を行う可変表示装置９は、演出制御基板に搭載されている図示しない演出制御用マイクロコンピュータによって制御される。特別図柄の可変表示を行う特別図柄表示器８は、遊技制御基板に搭載されている遊技制御用マイクロコンピュータによって制御される（図３参照）
【００２７】
可変表示装置９の下部には、第１始動入賞口１３および第２始動入賞口１４に入った有効入賞球数すなわち保留記憶（始動記憶または始動入賞記憶ともいう。）数を表示する４つの表示器からなる特別図柄保留記憶表示器１８が設けられている。有効始動入賞がある毎に、１つの表示器の表示色を変化させる。そして、特別図柄表示器８の可変表示が開始される毎に、１つの表示器の表示色をもとに戻す。
【００２８】
尚、本実施例では、特別図柄表示器８と特別図柄保留記憶表示器１８とが別個に設けられているので、可変表示中も保留記憶数が表示された状態にすることができる。なお、可変表示装置９の表示領域内に、保留記憶数を表示する４つの表示領域からなる特別図柄保留記憶表示領域を設けるようにしてもよい。また、本実施例では、保留記憶数の上限値を４とするが、上限値をより大きい値にしてもよい。さらに、上限値を、遊技状態に応じて変更可能としても良い。
【００２９】
可変表示装置９の下方には、遊技球が入賞可能な第１始動入賞口１３が形成されている。第１始動入賞口１３に入賞した遊技球は、遊技盤６の背面に導かれ、第１始動口スイッチ１３ａによって検出される。
【００３０】
また、第１始動入賞口１３の真下には、第２始動入賞口１４が形成されている。そして、第２始動入賞口１４には開閉動作を行う可変入賞球装置１５が設けられている。可変入賞球装置１５が物理的に閉じている状態のときは第２始動入賞口１４に遊技球が入賞せず、可変入賞球装置１５が物理的に開いている状態のときに第２始動入賞口１４に遊技球が入賞可能となる。可変入賞球装置１５は、ソレノイド１６によって開閉される。可変入賞球装置１５が開いた状態になることによって、遊技球が第２始動入賞口１４に入賞し易くなり（始動入賞し易くなり）、遊技者にとって有利な状態になる。第２始動入賞口１４に入賞した遊技球は、遊技盤６の背面に導かれ、第２始動口スイッチ１４ａによって検出される。
【００３１】
始動入賞口１４の下方には、大当り遊技状態または小当り遊技状態においてソレノイド２１によって開状態とされる特別可変入賞装置が設けられている。特別可変入賞装置は、開閉板２０を備え、大入賞口を形成する。大入賞口に入った遊技球はカウントスイッチ２３で検出される。
【００３２】
可変表示装置９の真上には、普通図柄表示器１０が設けられている。普通図柄表示器１０は、普通図柄と呼ばれる複数種類の識別情報（例えば、「○」および「×」）を可変表示する。
【００３３】
ゲート３２を遊技球が通過しゲートスイッチ３２ａで検出されると、普通図柄表示器１０の表示の可変表示が開始される。尚、本実施例では、左右のランプ（点灯時に図柄が視認可能になる）が交互に点灯することによって可変表示が行われ、例えば、可変表示の終了時に左側のランプが点灯すれば当りとなる。そして、普通図柄表示器１０における停止図柄が所定の図柄（当り図柄）である場合に、可変入賞球装置１５が所定回数、所定時間だけ開いた状態になる。すなわち、可変入賞球装置１５の状態は、普通図柄の停止図柄が当り図柄である場合に、遊技者にとって不利な状態から有利な状態に変化する。普通図柄表示器１０の近傍には、ゲート３２を通過した球数を表示する４つのＬＥＤによる表示部を有する普通図柄保留記憶表示器４１が設けられている。ゲート３２への遊技球の通過がある毎に、普通図柄保留記憶表示器４１は点灯するＬＥＤを１増やす。そして、普通図柄表示器１０の可変表示が開始される毎に、点灯するＬＥＤを１減らす。
【００３４】
遊技盤６には、複数の入賞口２９，３０，３３，３９が設けられ、遊技球の入賞口２９，３０，３３，３９への入賞は、それぞれ入賞口スイッチ２９ａ，３０ａ，３３ａ，３９ａによって検出される。各入賞口２９，３０，３３，３９は、遊技球を受け入れて入賞を許容する領域として遊技盤６に設けられる入賞領域を構成している。なお、第１始動入賞口１３や第２始動入賞口１４、大入賞口も、遊技球を受け入れて入賞を許容する入賞領域を構成する。遊技盤６の遊技領域７の左右周辺には、遊技中に点滅表示される装飾ランプ２５が設けられ、下部には、入賞しなかった打球が取り込まれるアウト口２６がある。
【００３５】
また、遊技領域７の外側の左右上部には、所定の音声出力として効果音や音声を発声（出力）する本発明における音出力手段となる２つのスピーカ２７が設けられている。遊技領域７の外周には、天枠ランプ２８ａ、左枠ランプ２８ｂおよび右枠ランプ２８ｃが設けられている。さらに、遊技領域７における各構造物（大入賞口等）の周囲には装飾ＬＥＤが設置されている。天枠ランプ２８ａ、左枠ランプ２８ｂ、右枠ランプ２８ｃおよび装飾用ＬＥＤは、遊技機に設けられている装飾発光体の一例である。
【００３６】
また、左側のスピーカ２７の下方には、賞球払出中に点灯する賞球ＬＥＤ５１が設けられ、右側のスピーカ２７の下方には、補給球が切れたときに点灯する球切れＬＥＤ５２が設けられている。
【００３７】
パチンコ機１には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３または第２始動入賞口１４に入り第１始動口スイッチ１３ａまたは第２始動口スイッチ１４ａで検出されると、特別図柄の可変表示を開始できる状態であれば（例えば、大当り遊技終了または前回の可変表示の終了）、特別図柄表示器８において特別図柄の可変表示（変動）が開始されるとともに、可変表示装置９において飾り図柄の可変表示が開始される。特別図柄の可変表示を開始できる状態でなければ、特別図柄保留記憶表示器１８についての保留記憶数を１増やす。
【００３８】
特別図柄表示器８における特別図柄および可変表示装置９の飾り図柄の可変表示は、所定時間が経過したときに停止する。停止時の停止図柄が大当り図柄のうちの確変図柄（後述する突然確変図柄を除く。）または非確変図柄になると、大当り遊技状態（確変大当りまたは非確変大当り（通常大当りともいう））に移行する。すなわち、一定時間（例えば２９秒）が経過するまで、または、所定個数（例えば、１０個）の遊技球が大入賞口に入賞するまで特別可変入賞装置が開放される。なお、特別可変入賞装置が開放されてから一定期間経過するまで、または、所定個数（例えば、１０個）の打球が大入賞口に入賞するまでが大当り遊技状態における１ラウンドである。本実施例では、停止図柄が確変図柄または非確変図柄になったことにもとづいて大当り遊技状態に移行されたときは、大当り遊技状態が１５ラウンド継続される。尚、これら大当り状態が終了するときに可変表示装置９には、本発明の特別アクセス情報となる二次元バーコードが表示出力される。
【００３９】
尚、本実施例では、特別図柄表示器８における特別図柄の可変表示と、可変表示装置９における飾り図柄の可変表示とは同期している。ここで、同期とは、可変表示の期間（可変表示時間）が同じであることをいう。また、特別図柄表示器８における表示結果（特別図柄の停止図柄）と可変表示装置９における表示結果（飾り図柄の停止図柄）とは対応している。なお、両図柄の対応関係については後述する。
【００４０】
次に、遊技状態の種類および遊技状態の遷移について説明する。まず、確変状態（確率変動状態）とは、大当り（つまり図柄が大当り図柄）となる確率が通常遊技状態および時短状態よりも高い遊技者にとって有利な遊技状態のことをいう。
【００４１】
また、時短状態（時間短縮状態）とは、特別図柄表示器８における特別図柄および可変表示装置９における飾り図柄の可変表示時間（変動時間）が通常遊技状態および確変状態（確変時短状態を除く）よりも短縮される遊技状態のことをいう。このように可変表示時間が短縮されることにより、頻繁に図柄の可変表示が実行され、単位時間当たりの大当りの発生確率が向上する結果、遊技者にとって有利な状態となる。また、時短状態では、普通図柄表示器１０において、停止図柄が当り図柄になる確率が通常遊技状態および確変状態（確変時短状態を除く）より高められるとともに、可変入賞球装置１５における開放時間と開放回数とのうちの一方または双方が通常遊技状態および確変状態（確変時短状態を除く）よりも高められ、遊技者にとってさらに有利な状態になる。また、時短状態では、普通図柄表示器１０における普通図柄の可変表示時間（変動時間）が通常遊技状態および確変状態（確変時短状態を除く）よりも短縮されることによって、遊技者にとってさらに有利な状態になる。なお、普通図柄の停止図柄が当り図柄になる確率が向上し、可変入賞球装置１５における開放時間と開放回数の一方または双方が高められ、普通図柄の可変表示時間が短縮された状態を高ベース状態といい、高ベース状態以外の通常の状態を低ベース状態という。
【００４２】
ここで、本実施例のパチンコ機１では、以下のように遊技状態が遷移する。
【００４３】
（１）通常遊技状態および時短状態のときに確変図柄（突然確変図柄を除く）で大当りになり、その大当り遊技が終了すると、遊技状態が通常遊技状態および時短状態から確変時短状態に移行される。これによって、特別図柄および普通図柄の停止図柄が当り図柄になる確率が高められ、特別図柄および普通図柄等の変動時間が短縮され、可変入賞球装置１５における開放時間や開放回数も高められる。
【００４４】
（２）確変状態のときに確変図柄で大当りになり、その大当り遊技が終了すると、再度確変時短状態が変化しないで維持される。
【００４５】
（３）通常遊技状態および時短状態のときに非確変図柄で大当りになり、その大当り遊技が終了すると、大当り終了後の所定の変動回数（例えば１００回）だけ時短状態に制御される。すなわち、遊技状態が通常遊技状態であったときは通常遊技状態から時短状態に所定の変動回数だけ移行され、遊技状態が時短状態であったときは所定の変動回数だけ時短状態が継続される。このとき、特別図柄および普通図柄の変動時間が短縮され、可変入賞球装置１５における開放時間や開放回数も高められる。そして、所定の変動回数の変動が開始されるときに遊技状態が時短状態から通常遊技状態に移行される。
【００４６】
（４）確変状態および確変時短状態のときに非確変図柄で大当りになり、その大当り遊技が終了すると、大当り終了後の所定の変動回数（例えば１００回）だけ時短状態に制御される。すなわち、確変状態および確変時短状態から時短状態に所定の変動回数だけ移行される。このとき、特別図柄および普通図柄の変動時間が短縮され、可変入賞球装置１５における開放時間や開放回数も高められる。そして、所定の変動回数の変動が開始されるときに遊技状態が時短状態から通常遊技状態に移行される。
【００４７】
なお、以上のような遊技状態の遷移は一例であって、このような構成に限られるわけで
はない。
【００４８】
次に、特別図柄の停止図柄と飾り図柄の停止図柄の対応関係（両図柄のはずれ図柄、確変図柄、非確変図柄、突然確変図柄および小当り図柄）について説明する。
【００４９】
上述したように、特別図柄表示器８にて可変表示される特別図柄は「０」〜「９」であ
る。このうち、「０」〜「３」，「８」，「９」がはずれ図柄であり、「５」、「７」が確変図柄であり、「４」、「６」が非確変図柄である。
【００５０】
また、上述したように、可変表示装置９にて可変表示される左中右の飾り図柄は、それぞれ、「０」〜「９」である。ここで、飾り図柄のはずれ図柄は、左中右の飾り図柄が同一図柄で揃っていない状態の図柄（例えば、「３５８」など）である。なお、左右の飾り図柄が同一図柄で揃っているが（リーチとなっているが）、中の飾り図柄だけ揃っていない状態もはずれ図柄である。
【００５１】
飾り図柄の大当り図柄は、左中右の飾り図柄が同一図柄で揃った状態の図柄である。具
体的には、「０００」，「１１１」，「２２２」，「３３３」，「４４４」，「５５５」，「６６６」，「７７７」，「８８８」，「９９９」である。このうち、奇数の飾り図柄で揃った状態の図柄（「１１１」，「３３３」，「５５５」，「７７７」，「９９９」）が確変図柄であり、偶数の飾り図柄で揃った状態の図柄（「０００」，「２２２」，「４４４」，「６６６」，「８８８」）が非確変図柄である。
【００５２】
次に、リーチ表示態様（リーチ）について説明する。この実施の形態におけるリーチ表示態様（リーチ）とは、停止した飾り図柄が大当り図柄の一部を構成しているときに未だ停止していない飾り図柄については可変表示（変動表示）が行われていること、および全てまたは一部の飾り図柄が大当り図柄の全てまたは一部を構成しながら同期して変動表示している状態である。
【００５３】
例えば、可変表示装置９における左、中、右の表示領域のうち左、右の表示領域には大当り図柄の一部になる飾り図柄（例えば、「７」）が停止表示されている状態で中の表示領域は未だ変動表示が行われている状態、および表示領域の全てまたは一部の図柄が大当り図柄の全てまたは一部を構成しながら同期して変動表示している状態（例えば、可変表示装置９における左、中、右の表示領域の全てに変動表示が行われ、常に同一の図柄が揃っている状態で変動表示が行われている状態）がリーチ表示態様またはリーチになる。
【００５４】
また、リーチの際に、通常と異なる演出がランプや音で行われる。その演出と可変表示装置９におけるリーチ表示態様とをリーチ演出という。また、リーチの際に、キャラクタ（人物等を模した演出表示であり、図柄（飾り図柄等）とは異なるもの）を表示させたり、可変表示装置９の背景の表示態様（例えば、色等）を変化させたりすることがある。
【００５５】
図３は、本実施例のパチンコ機１の主基板（遊技制御基板）３１における回路構成の一例を示すブロック図である。なお、図３には、払出制御基板３７および演出制御基板８０等も示されている。主基板３１には、プログラムに従ってパチンコ機１を制御する遊技制御用マイクロコンピュータ５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。本実施例では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。
【００５６】
遊技制御用マイクロコンピュータ５６０には、さらに、ハードウエア乱数を発生する乱数回路５０３が内蔵されている。
【００５７】
更に、主基板（遊技制御基板）３１には、図示しないが、電源投入時に遊技制御用マイクロコンピュータ５６０をリセットするための初期リセット回路と、電源投入後に遊技制御用マイクロコンピュータ５６０を定期的にリセットするための定期リセット回路と、遊技制御用マイクロコンピュータ５６０から与えられるアドレス信号をデコードしてＩ／Ｏポート部５７のうちのいずれかのＩ／Ｏポートを選択するための信号を出力するアドレスデコード回路とが設けられている。
【００５８】
遊技制御用マイクロコンピュータ５６０は、電源投入時において、初期リセット回路により初期リセットされる。また、電源投入後、遊技制御用マイクロコンピュータ５６０は、定期リセット回路により定期的（本実施例では、後述するように２ミリ秒毎）にリセットされ、割込み処理が実行される。これにより、割込み処理が実行される毎に、ゲーム制御用のプログラムが所定位置から再実行されることで、図１５に示す特別図柄プロセス処理が２ミリ秒毎に繰返し実施される。
【００５９】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００６０】
また、ゲートスイッチ３２ａ、第１始動口スイッチ１３ａ、第２始動口スイッチ１４ａ、カウントスイッチ２３、入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。
【００６１】
また、遊技制御用マイクロコンピュータ５６０は、特別図柄を可変表示する特別図柄表示器８、普通図柄を可変表示する普通図柄表示器１０、特別図柄保留記憶表示器１８および普通図柄保留記憶表示器４１の表示制御を行う。
【００６２】
なお、大当り遊技状態の発生を示す大当り情報等の情報出力信号をホールコンピュータ等の外部装置に対して出力する情報出力回路（図示せず）も主基板３１に搭載されている。
【００６３】
尚、本実施例では、演出制御基板８０に搭載されている演出制御用マイクロコンピュータ（図示略）が、中継基板７７を介して遊技制御用マイクロコンピュータ５６０からの演出制御コマンドを受信し、飾り図柄を可変表示する可変表示装置９の表示制御を行うとともに、リーチ演出に伴う可変表示装置９の表示制御や、大当り状態における大当り演出に伴う可変表示装置９の表示制御や、該大当り状態の終了時において、後述するように、二次元バーコード生成処理を実施して特別アクセス情報となる二次元バーコードを生成し、該生成した二次元バーコードを可変表示装置９に表示する制御を実施する。
【００６４】
また、本実施例の演出制御基板８０には演出制御用マイクロコンピュータ（図示略）に加えて、図３に示すように、個々の二次元バーコードを識別するための二次元バーコードに符号化されるタイムスタンプデータに使用する時刻情報を出力可能なリアルタイムクロック（ＲＴＣ）８１が搭載されており、演出制御用マイクロコンピュータ（図示略）は、これらＲＴＣ８１から出力される時刻情報に基づいてタイムスタンプデータを生成するとともに、該生成したタイムスタンプデータや該パチンコ機１の機種を特定可能な機種ＩＤや、サイトへの特別アクセスを実施するための後述する暗号かＵＲＬを復号するための復号キー等のデータが符号化された二次元バーコードを生成して（二次元バーコード生成処理）、可変表示装置９に表示させる制御を実施する。つまり、本実施例の二次元バーコード（特別アクセス情報）には、個々の特別アクセス情報を識別可能な特別アクセス識別情報となるタイムスタンプデータが含まれている。
【００６５】
また、演出制御基板８０に搭載されている演出制御用マイクロコンピュータが、ランプドライバ基板３５を介して、遊技盤６に設けられている装飾ランプ２５の表示制御を行うとともに、枠側に設けられている天枠ランプ２８ａ、左枠ランプ２８ｂ、右枠ランプ２８ｃ、賞球ランプ５１および球切れランプ５２の点灯制御を行うとともに、音声入出力基板７０を介してスピーカ２７からの音出力の制御を行う。
【００６６】
さらに、演出制御基板８０に搭載されている演出制御用マイクロコンピュータは、ランプドライバ基板３５に対して、受信した演出制御コマンドに対応したランプを駆動する信号を出力することで、受信した演出制御コマンドにて表示制御される可変表示装置９における飾り図柄の可変表示に対応する点灯演出が実施される。
【００６７】
次に、本実施例に用いた携帯電話機４００について、図４に基づいてより詳細に説明すると、本発明の携帯電話機４００は、通常の無線による音声通話機能に加えてインターネット接続機能を有しており、インターネット網１１９を介して前記サイトサーバ１１６にアクセス可能とされており、該サイトサーバ１１６から配信される各種ページにおいて、携帯電話機４００に設けられたテンキーや十字キー等の入力部を操作することで、各種の入力や選択等を実施できるようになっている。
【００６８】
図４において、音声入力部４５１は、マイク４６５からのアナログ音声信号をディジタル信号に変換するための部位であり、マイクアンプ、フィルタ、Ａ／Ｄ変換器、等で構成される。音声出力部４５２は、受信したディジタル音声信号に基づいてスピーカ４６６またはイヤレシーバ４６７を駆動するための部位であり、Ｄ／Ａ変換器、フィルタ、スピーカアンプ、等で構成される。ディジタル信号処理部４５３は、ディジタル音声信号のエンコード、および、ディジタル音声信号へのデコードを行うための部位であり、ＤＳＰ(Digital Signal Processor)を中心とした畳み込み符号化、スロットインターリーブ、遅延検波、畳み込み復号化、等の各種専用回路で構成される。
【００６９】
また、ＲＦ入出力部４５４は、電話機用アンテナ４６２を介して、図１に示すように、携帯電話会社の基地局１１７と高周波電波の送受信を行う部位であり、直交変調器、ゲインアンプ、パワーアンプ、ダイバーシティー、ミキサー、ＩＦ復調器、アンテナ共用器等で構成される。
【００７０】
前記音声入力部４５１から入力されてディジタル音声信号に変換された入力音声は、ディジタル信号処理部４５３により、誤り訂正符号化、インターリーブ、拡散、Ｄ／Ａ変換などの処理を行い、その処理により生成した送信ベースバンド信号をＲＦ入出力部４５４へ送る。そして、該ＲＦ入出力部４５４内の直交変調器は、該送信ベースバンド信号により局部発振信号を変調して送信高周波信号を生成し、さらにその送信高周波信号を増幅した後にアンテナ共用器を通じて電話機用アンテナ４６２から基地局１１７に送信する。
【００７１】
アンテナ共用器は、送信高周波信号と受信高周波信号とで１本の電話機用アンテナ４６２を共用するためのものであり、直交変調器により変調された後に増幅された送信高周波信号を電話機用アンテナ４６２へ送出する機能とともに、該電話機用アンテナ４６２からの受信高周波信号をＲＦ入出力部４５４内のＩＦ復調器へ送出する機能を備えたフィルタ回路により構成されている。
【００７２】
電話機用アンテナ４６２は、基地局１１７との間で無線による高周波信号の送受信を行う。すなわち、前記直交変調器からアンテナ共用器を介して送られてきた送信高周波信号は、当該電話機用アンテナ４６２から基地局１１７へ送信される。一方、基地局１１７から送信されてきた高周波信号は、当該電話機用アンテナ４６２にて受信された後、アンテナ共用器を介してＩＦ復調器へ送られる。そして、該ＩＦ復調器並びにゲインアンプは、送られてきた受信高周波信号を増幅し、さらに復調処理を行って得られた受信ベースバンド信号をディジタル信号処理部４５３へ送る。
【００７３】
この受信ベースバンド信号は、該ディジタル信号処理部４５３において該受信ベースバンド信号のＡ／Ｄ変換、逆拡散、デインターリーブ、誤り訂正等の処理を実施して受信音声ディジタル信号として音声出力部４５２へ送ることで、該音声出力部４５２にてＤ／Ａ変換により受信した通話音声信号が生成、増幅されてスピーカ４６６またはイヤレシーバ４６７から出力されることで、無線通話機能が提供される。
【００７４】
尚、受信された信号が通話による音声データではなくて電子メールやインターネット網１１９上のサイトサーバ１１６等の各種サーバから配信されるウェブページやアプリケーションプログラム等のデータ信号である場合、ディジタル信号処理部４５３において該受信ベースバンド信号のＡ／Ｄ変換、逆拡散、デインターリーブ、誤り訂正等の処理を実施したデータ信号（ＩＰパケットデータ）が制御部４５５に出力されることで、受信データに基づくページやメールが表示部４５６に表示されたり、受信したアプリケーションプログラムが後述するメモリ部４６０に記憶される。そして、これら受信して表示されたページにおける操作内容データ等や送信メールのデータ信号（パケットデータ）が、前述したディジタル音声信号に代えてディジタル信号処理部４５３に送られることで、音声データと同様にこれら操作内容データや送信メールデータ（ＩＰパケットデータ）が電話機用アンテナ４６２から基地局１１７へ送信されることでデータ通信機能や電子メール機能やダウンロード機能が形成されている。
【００７５】
つまり、本実施例の携帯電話機４００におけるディジタル信号処理部４５３並びにＲＦ入出力部４５４によって、インターネット網１１９上のサイトにアクセスするためのデータ通信機能が提供されており、該ディジタル信号処理部４５３並びにＲＦ入出力部４５４が本発明におけるデータ通信手段に該当する。
【００７６】
また、制御部４５５は、携帯電話機４００としての各種機能を、制御プログラム並びに各種のプログラムを実行することで実現するための部位であり、これらプログラムを実行可能な中央演算処理回路（ＣＰＵ；Ｃｅｎｔｒａｌ Ｐｒｏｃｅｓｓｉｎｇ Ｕｎｉｔ）等で構成されており、この制御部４５５には、図４に示すように、各種の情報を表示するための表示部４５６や、所有者である遊技者が各種の情報を入力するための操作部４５７や、制御部４５５にて実行される各種の機能を提供するための各種プログラムや設定データ並びに各種テーブル等を記憶するためのメモリ部４６０や、その時点の時間情報や日付や曜日等のカレンダ情報（日付情報）等を出力するリアルタイムクロック（ＲＴＣ）４６１や、外部のデータ処理装置との間でシリアルデータ通信などを行うための外部Ｉ／Ｆ（インタフェース）部４５８や、バッテリ電源を元に各ブロックに必要な動作電力を供給するための電源部４５９や、電話やメールの着信や表示部４５６への表示等を振動により報知するためのバイブレータ部４６３や、電話やメールの着信を知らせたり、充電時のインジケータとして使用される発光ダイオード（以下、ＬＥＤ）部４６４や、映像を撮像するためのＣＣＤカメラ等から構成される撮像部４６５が接続され、これら各部の動作制御を制御部４５５が実施できるようになっており、例えば、撮像部４６５から入力された二次元バーコードに符号化されているデータを復号する復号処理や、操作部４５７から入力される操作信号に応じた処理、表示部４５６への表示処理、ＬＥＤ部４６４やバイブレータ部４６３を動作させるための動作制御信号の生成、メモリ部４６０の書き込み或いは読み出しなどの各種制御や信号処理を行う。
【００７７】
メモリ部４６０は、ＲＯＭ（Read Only Memory）、ＲＡＭ（Random Access Memory）、ＥＥＰＲＯＭ（Electrically Erasable and Programmable Read Only Memory）などからなる。ＲＯＭは、当該携帯電話機４００の各種機能を実現するための制御プログラムや初期設定値や当該携帯電話機４００に固有に付与された端末ＩＤが保存（記憶）されている。ＲＡＭは、制御部４５５（ＣＰＵ）が各種の処理、具体的には、二次元バーコードの復号処理や暗号化ＵＲＬの解凍処理における演算処理等の作業領域として使用したり、制御部４５５（ＣＰＵ）のプログラム実行中において必要に応じて計算途中のデータなどを記憶したり、他の各部と送受信するデータを一時的に記憶するために使用される。
【００７８】
メモリ部４６０を構成するＥＥＰＲＯＭは、不揮発性メモリであって、二次元バーコードを復号するための復号処理内容が記述された復号プログラムや、特別アクセスに使用するためにサイトサーバ１１６からダウンロードしたブラウザのプラグインモジュールプログラムや、図４（ｂ）に示す第１アクセス情報テーブルや、図４（ｃ）に示す第２アクセス情報テーブルや、電話番号や電子メールアドレス及びそれに対応した氏名、名称などの情報からなる電話帳データ、送受信された電子メールデータ、スケジュール帳データ、発着信の通信履歴データ、メモ帳データ、所有者（遊技者）によりカスタマイズされた設定データ等の各種のデータが記憶されている。
【００７９】
この本実施例の第１アクセス情報テーブルには、図４（ｂ）に示すように、サイトサーバ１１６にログインして、後述するように閲覧した機種情報ページの機種を特定可能な機種ＩＤと、該機種情報ページを閲覧（一次アクセス）したことにより、当該機種のパチンコ機１における遊技により二次元バーコードが表示された場合において、当該機種の提供コンテンツの提供を受けるためのＵＲＬが暗号化されている暗号化ＵＲＬとが、対応付けて記憶されている。
【００８０】
つまり、本実施例の第１アクセス情報テーブルにおいては、本発明のサービス提供装置となるサイトサーバ１１６へのログインによる一次アクセス（任意アクセス）の実施に基づいて、該一次アクセスを実施したことを特定可能な任意アクセス情報となる機種ＩＤが記憶されており、該第１アクセス情報テーブルによって本発明における任意アクセス情報記憶手段が構成されている。
【００８１】
尚、これら第１アクセス情報テーブルの更新においては、該更新日時を更新記憶するようになっているとともに、第１アクセス情報テーブルのデータを更新する場合には、これら更新日時のデータとその時点の日時とを比較して、更新日時データの日付がその時点の日付と同一でない場合、具体的には、次の日以降の日付となっている場合において制御部４５５は、一旦第１アクセス情報テーブルのデータを全てリセットする第１アクセス情報消去処理を実施した後、改めて機種ＩＤと暗号化ＵＲＬデータを記憶するようになっており、このようにすることで、本実施例では、これら第１アクセス情報テーブルに記憶された第１アクセス情報は、その当日においてのみ記憶が保持されて有効となるようになっている。
【００８２】
また、本実施例の第２アクセス情報テーブルには、図４（ｃ）に示すように、二次元バーコードをパチンコ機１から取得してサイトサーバ１１６に特別アクセスを実施することにより提供コンテンツの提供を受けた回数が、該提供を受けた提供コンテンツが対応する機種の機種ＩＤに対応付けて記憶されているとともに、これら提供コンテンツの提供を受けた機種の総数が集計されるサービス被提供機種数、並びに、前回におけるサービス提供時における特別アクセスにてパチンコ機１から取得した二次元バーコードに含まれていたタイムスタンプデータ（ＩＤ）である前回提供ＩＤとが記憶されている。
【００８３】
この本実施例の第２アクセス情報テーブルにおける各機種ＩＤに対応する被提供回数のデータは、当該機種ＩＤに対応する機種の提供コンテンツの提供を受ける毎に、該機種に対応する回数に１が加算更新されることで各機種毎の提供回数が集計され、同様にサービス被提供機種数のデータも、新たな機種ＩＤが第２アクセス情報テーブルに記憶されることで「１」が加算更新されことにより、提供コンテンツの提供を受けた機種数が集計される。
【００８４】
つまり、本実施例の第２アクセス情報テーブルには、本発明における特別アクセス情報入力手段となる撮像部４６５への二次元バーコード（特別アクセス情報）の入力を条件に、当該二次元バーコード（特別アクセス情報）に含まれる機種ＩＤ（機種特定情報）から特定される機種の数、すなわち、サイトサーバ１１６から提供された提供コンテンツが対応する機種の数であるサービス被提供機種数、並びに撮像部４６５（前記特別アクセス情報入力手段）へ入力された異なるタイムスタンプデータ（特別アクセス識別情報）を含む二次元バーコード（特別アクセス情報）に基づき特別アクセスを実施することで、各機種毎の提供コンテンツ（所定のサービス）が提供された回数であるサービス被提供回数が集計されており、該２アクセス情報テーブルによって本発明におけるサービス提供機種数計数手段並びに請求項７における計数手段が構成されている。
【００８５】
外部Ｉ／Ｆ部４５８は、通信インタフェース回路、コネクタ、等で構成され、電源部４５９はバッテリへの充電回路、過電流過電圧保護回路、等で構成される。表示部４５６はユーザに対して各種の演出（アニメーション）等の各種画面や表示情報を提供する部位であり、ＬＣＤドライバ、ＬＣＤ表示デバイス、等で構成される。
【００８６】
操作部４５７は、電話番号やアルファベット、仮名文字、記号、絵文字等の入力に使用されるボタンや、画面上でカーソルを移動させたりメニュー項目の選択等に使用される回転機能及びプッシュボタン機能を備えたジョグダイヤル等の操作子、電話の発着信、電源オン／オフなど、ユーザにより操作される各種のキーやボタン、ダイヤルからなる。尚、カーソル操作やメニュー項目の選択等に使用される操作子はジョグダイヤルに限定されないことは言うまでもない。
【００８７】
次に、本実施例において用いたサイトサーバ１１６について、図５に基づき説明すると、サイトサーバ１１６はコンピュ−タ内部にてデータの送受を行うデータバス１８１に、後述する記憶装置１８４に記憶された処理プログラムに基づいて該サイトサーバ１１６が実施する後述する各種処理等を実施する中央演算処理装置（ＣＰＵ）１８２や、該ＣＰＵ１８２が行う処理に使用されるワークメモリ等として使用されるＲＡＭ１８３や、時刻情報やカレンダ情報を出力するリアルタイムクロック（ＲＴＣ）１８５、各遊技場に設置されている会員管理コンピュータ１２０とのデータ通信を行う第１通信部１８８と、前記インターネット網１１９に接続された携帯電話機４００とのデータ通信を行う第２通信部１８９と、磁気ディスクや光磁気ディスクから成り、前記ＣＰＵ１８２が実施する携帯電話機４００とのデータの送受（セッション）を管理するセッション管理処理や、会員登録の受付け並びに更新メールの配信や、プレゼント景品申し込み用の申込メールの配信等の各種処理を実施するための処理プログラムや、サイトを構築・運営するための各種コンテンツファイルや各種ＨＴＭＬデータ等から成るＷＷＷ（ワールドワイドウェッブ）データ等の各種データが記憶された記憶装置１８４と、が接続された比較的高速の演算処理が可能なコンピュータとされている。
【００８８】
また、記憶装置１８４には、図７（ａ）に一部略示するように、該サイトサーバ１１６にて構築されているサイトを運営する遊技機メーカが上市したパチンコ機１の各機種の内、主たる機種を個々に識別可能な機種ＩＤに対応付けて、そのパチンコ機１の機種名や、タイプ、大当り確率、確変時確率、時短突入率、時間回数、賞球数、平均出玉等の各種のパチンコ機１の特性に関する本発明における機種情報となる台データが記憶されているとともに、該パチンコ機１に対して遊技者から投票された投票数や、当該パチンコ機１の台画像データファイルへのパスデータや、当該パチンコ機１の実践データコンテンツファイルへのパスデータや、当該パチンコ機１のコラムコンテンツファイルへのパスデータや、当該パチンコ機１の業界ニュースコンテンツファイルへのパスデータや、当該パチンコ機１の動作映像を含むムービーコンテンツファイルへのパスデータや、当該パチンコ機１に使用されているキャラクタの映像を含む携帯電話機４００に使用可能な待受画像コンテンツファイルへのパスデータや、当該パチンコ機１において使用されている演出音楽から成る携帯電話機４００に使用可能な着メロコンテンツファイルのパスデータや、当該パチンコ機１におけるリーチアクションの映像（ムービー）を含むリーチアクションコンテンツファイルへのパスデータが記憶されているパチンコ台データテーブル（図７（ａ）参照）が記憶されており、これら台データや台画像データが後述する機種情報ページ（図１１（ｄ）参照）として遊技者の携帯電話機４００に配信されるとともに、これら機種情報ページに設けられている「実践データ」メニューや、「コラム」メニュー、「業界ニュース」メニュー、「ムービー」メニュー、「ムービー」メニュー、「待受画像」メニュー、「着メロ」メニュー、「リーチアクション」メニューが選択されることで、選択されたメニューに対応するコンテンツファイルへのパスが特定されて該特定されたパスに存在する各コンテンツファイルが読み出されて、該コンテンツファイルに基づくページやデータが携帯電話機４００に配信されるようになっている。
【００８９】
また、記憶装置１８４には、図７（ｂ）に一部略示するように、該遊技機メーカが上市しているスロットマシンの各機種の内、主たる機種を個々に識別可能な機種ＩＤに対応付けて、そのスロットマシンの機種名や、タイプ、ビッグボーナス（ＢＢ）確率、レギュラーボーナス（ＲＢ）確率の台データが記憶されているとともに、該スロットマシンに対して遊技者から投票された投票数や、当該スロットマシンの台画像データファイルへのパスデータや、当該スロットマシンの実践データコンテンツファイルへのパスデータや、当該スロットマシンのコラムコンテンツファイルへのパスデータや、当該スロットマシンの業界ニュースコンテンツファイルへのパスデータや、当該スロットマシンの動作映像を含むムービーコンテンツファイルへのパスデータや、当該スロットマシンに使用されているキャラクタの映像を含む携帯電話機４００に使用可能な待受画像コンテンツファイルへのパスデータや、当該スロットマシンにおいて使用されている演出音楽から成る携帯電話機４００に使用可能な着メロコンテンツファイルのパスデータや、当該スロットマシンにおけるリーチアクションの映像（ムービー）を含むリーチアクションコンテンツファイルへのパスデータが記憶されるパチスロ台データテーブルが記憶されており、これら台データや台画像データが前記パチンコ機１の機種情報ページ（図１１（ｄ）参照）と同様に遊技者の携帯電話機４００に配信されるとともに、これら機種情報ページに設けられている「実践データ」メニューや、「コラム」メニュー、「業界ニュース」メニュー、「ムービー」メニュー、「ムービー」メニュー、「待受画像」メニュー、「着メロ」メニュー、「リーチアクション」メニューが選択されることで、選択されたメニューに対応するコンテンツファイルへのパスが特定されて該特定されたパスに存在する各コンテンツファイルが読み出されて、該コンテンツファイルに基づくページやデータが携帯電話機４００に配信されるようになっている。
【００９０】
また、記憶装置１８４には、前記各コンテンツファイルに加えて、図５に示すように、サイトサーバ１１６により構築されたサイトのトップページの各メニュー項目に対応する各コンテンツファイル、具体的には、攻略法各コンテンツファイル、Ｑ＆Ａコンテンツファイル、メールマガジンコンテンツファイル、用語集コンテンツファイル、パチパチランキングコンテンツファイル、ゲームコンテンツファイル、シークレットコンテンツファイル等の各種コンテンツファイルが記憶されているとともに、その他、これら各コンテンツの配信や携帯電話機４００とのセッション管理等に使用される各種データファイル、例えばログイン中の会員の会員ＩＤと携帯電話機４００のＴＣＰ−ＩＰアドレス等が対応付けて記憶されるデータファイル等が記憶されている。
【００９１】
また、記憶装置１８４には、図８（ａ）に示すように、プレゼント景品を提供する条件となるコンテンツ提供機種数が記述されたプレゼント景品用データや、特別アクセスにおいて提供するコンテンツをコンテンツ提供回数に応じて変更するための提供コンテンツ特定用データが記憶されているとともに、これら特別アクセスにおいて提供する各機種毎の各コンテンツのコンテンツファイルが記憶されている。
【００９２】
具体的に、プレゼント景品用データには、図８（ａ）に示すように、各コンテンツ提供機種数に対応付けて、該コンテンツ提供機種数に前述した第２アクセス情報テーブルのサービス被提供機種数が達した際に提供可能となるプレゼント景品の種別が記憶されている。
【００９３】
また、提供コンテンツ特定用データには、図８（ｂ）に示すように、各コンテンツ提供回数に対応付けて、特別アクセスにおいて提供するコンテンツの種別が記憶されている。
【００９４】
また、記憶装置１８４には、図６に示すサイト会員情報テーブルが記憶され、該サイト会員情報テーブルには、会員登録時において各会員（遊技者）に固有に付与されるサイト会員ＩＤに対応付けて、電子メールアドレスを含むサイト会員の属性情報が記憶されている。
【００９５】
つまり、本実施例のサイト会員情報テーブルには、本発明における電子メールアドレス登録受付け手段となる後述する会員登録受付け処理にて受付けた、各遊技者の電子メールアドレスが記憶されており、該サイト会員情報テーブルによって本発明における電子メールアドレス記憶手段が形成されている。
【００９６】
尚、サイト会員情報テーブルに記憶されているサイト会員の属性情報のうち、氏名や電子メールアドレス以外の情報は、後述するように、当該サイト会員の登録時に遊技場名と遊技場会員ＩＤの受付けがあった場合において、該遊技場名の遊技場に設置されている会員管理コンピュータ１２０から自動的に入手されて記憶されることで、遊技場において既に会員となっている遊技者が、これら性別や生年月日等の各種属性情報を再度入力する必要がなく、これら入力の面倒を解消できるようになっている。
【００９７】
ここで、遊技者が本実施例のサイトに会員登録する流れについて、図１０に基づいて説明すると、サイトに会員登録していない遊技者がアクセスしてきた場合には、これら会員登録していない遊技者（ゲスト）に対して図１０（ａ）に示す非会員ＴＯＰページが配信され、該配信された非会員ＴＯＰページにおける「会員登録」を、遊技者（ゲスト）が選択入力することにより遊技者（ゲスト）の携帯電話機４００に個人情報入力ページ（図１０（ｄ）参照）が配信されて表示され、該個人情報入力ページにて会員登録に必要な属性情報である氏名、生年月日、性別、電子メールアドレス等から成る個人情報、或いは遊技場の会員となっている遊技者（ゲスト）の場合は、氏名と電子メールアドレスと会員となっている遊技場名と該遊技場における会員ＩＤとの受付けが実施される会員登録受付け処理がサイトサーバ１１６で実行される。
【００９８】
具体的に、これら非会員ＴＯＰページは、図示しないサイトのトップページにおけるログインページにおいて、会員ＩＤとパスワードを入力せずに、「会員登録へ」のメニューを選択した場合に配信される。
【００９９】
この非会員ＴＯＰページには、図１０（ａ）に示す如く、所定の利用料金を支払う必要があることを含む利用規約を確認した後に会員登録を促すメッセージが含まれているとともに、該ページの下方位置には、「このページについて」や、「会員登録」や、「会員規約」、「ブックマーク登録」の各項目（メニュー）が設けられている。
【０１００】
遊技者（ゲスト）が上記したメッセージに従って会員登録するために、該非会員ＴＯＰページにおいて「会員登録」のメニュー項目を選択すると、図１０（ｂ）に示す会員規約に同意するか否かの確認ページが配信される。この図１０（ｂ）に示す確認ページには、「会員規約に同意する」、「規約はこちら」、「戻る」の選択項目が設けられており、該図１０（ｂ）の確認ページにおいて、「規約に同意する」の項目を選択すると、図１０（ｄ）に示す会員登録のページが配信され、「規約はこちら」の項目を選択すると、図１０１（ｃ）に示す会員規約が記載されたページが配信される。
【０１０１】
また、図１０（ｂ）に示す確認ページにおいて、「戻る」の項目を選択すると、１つ前の表示画面である図１０（ａ）のＴＯＰページが再び表示される。この「戻る」の選択項目は、本実施例におけるサイトのその他の配信ページにも設けられており、何れのページにおいても、これら「戻る」の項目を選択すると１つ手前の画面（ページ）が表示されるようになっている。
【０１０２】
この図１０（ｄ）に示す本実施例の会員登録ページには、遊技者の「名前」、「フリガナ」、「電子メールアドレス」の入力部と、遊技者（ゲスト）が遊技場会員である場合において該会員となっている遊技場の遊技場名や遊技場会員ＩＤを入力する「遊技場名」と「会員ＩＤ」の入力部や、遊技者（ゲスト）が遊技場会員ではなく「遊技場名」と「会員ＩＤ」を入力しない場合において会員登録に必要となる属性情報である「生年月日」、「性別」などの入力部（性別においては選択部）が設けられている。
【０１０３】
この図１０（ｄ）の会員登録ページにおいて、遊技場会員ではない遊技者は、「名前」、「生年月日」、「メールアドレス」に加えて、「生年月日」、「性別」などの会員登録に必要となる属性情報を入力するとともに、遊技場会員である場合は、該会員となっている遊技場の遊技場名と該遊技場における自己の遊技場会員ＩＤを「遊技場名」と「会員ＩＤ」の各入力項目に対応する入力部に入力することで、該入力した遊技場名の遊技場に設置されている会員管理コンピュータ１２０に既に記憶されている「名前」、「メールアドレス」以外の個人情報を含む会員属性情報が、該遊技場の会員管理コンピュータ１２０から取得されて自動登録（記憶）されることで、これら属性情報を入力する手間を省けるようになっている。尚、遊技者が遊技場会員ではない場合、すなわち「遊技場名」と「会員ＩＤ」への入力がない場合には、「性別」、「郵便番号」、「住所」、「電話番号」…等の詳細な属性情報の入力が必須とされる。
【０１０４】
遊技者（ゲスト）が、例えば図１０（ｄ）に示すように遊技場会員であって「遊技場名」と「会員ＩＤ」を入力し、「次へ」を選択すると図１０（ｅ）に示す登録情報確認ページが配信され、該ページには、名前とフリガナと電子メールアドレスと、入力された遊技場の遊技場名と、会員ＩＤとを含む入力した入力情報の一覧が表示される。そして、遊技者が、当該表示内容を確認した後に該ページに設けられている「登録」を選択すると、該遊技者（ゲスト）に付与するサイト会員ＩＤを、サイト会員情報テーブルに既に登録されているサイト会員ＩＤと重複しないように特定するとともに、該特定したサイト会員ＩＤに対応付けて、該ページに表示された会員属性情報がサイト会員情報テーブルに記憶される。
【０１０５】
そして、サイト会員情報テーブルへの記憶完了に応じて、図１０（ｆ）に示す登録完了ページを携帯電話機４００に配信する。尚、この登録完了ページには、図１０（ｆ）に示すように、後述する特別アクセスに際して必要となるプラグインモジュールプログラムをダウンロードするためのメニューが設けられており、遊技者は、該メニューを選択することで予めプラグインモジュールプログラムをサイトサーバ１１６からダウンロードして記憶しておくことによって、該プラグインモジュールプログラムにより、会員登録により付与されたサイト会員ＩＤが、該プラグインモジュールプログラムが特別アクセスに際して使用できるように、所定の記憶領域に格納されるとともに、サイトサーバ１１６へのログインによるアクセス（一次アクセス）において機種情報ページを閲覧することにより取得した暗号化ＵＲＬが解凍されて、該解凍されたＵＲＬにより特別アクセスが実施される。
【０１０６】
また、これらプラグインモジュールプログラムとともに、後述する誘導ページもサイトサーバ１１６からダウンロードされて、メモリ部４６０に記憶される。
【０１０７】
つまり、本実施例のＣＰＵ１８２が処理プログラムにより実施する会員登録受付け処理においては、携帯電話機４００を所持する遊技者から電子メールアドレスの登録を受付けており、該会員登録受付け処理を実施するＣＰＵ１８２によって本発明における電子メールアドレス登録受付け手段が形成されている。
【０１０８】
このようにしてサイトに会員登録した遊技者が、サイトに登録されている機種情報を閲覧する流れについて、図１１、図１２に基づいて以下に説明する。
【０１０９】
まず、会員登録した遊技者は、携帯電話機４００からサイトにアクセスすることで表示される図示しないログインページにおいて、会員登録において付与されたサイト会員ＩＤとパスワードを入力した後、該ページの下部に設けられている「ログイン」のメニューを選択する。
【０１１０】
そして、このログインページにて受付けたサイト会員ＩＤの登録がサイト会員情報テーブルに存在するか否かを判定するととともに、存在する場合においては受付けたパスワードと該サイト会員ＩＤに対応してサイト会員情報テーブルに記憶されているパスワードとが一致するか否かを判定する認証処理を実施する。
【０１１１】
次に、認証処理において認証ＯＫである場合には、サイト会員ＩＤと携帯電話機４００からの送信データに付与されている該携帯電話機４００のＩＰアドレスとを対応付けて、セッション管理情報として一時記憶するとともに、該サイト会員ＩＤから特定される会員のマイページ（図１１（ａ）、図１２（ａ）参照）を生成して配信する。
【０１１２】
この本実施例のマイページには、図１１（ａ）に示すように、「機種情報」、「ホール情報」、「業界ニュース」、「攻略法の真実」、「コラム」、「パチプロＱ＆Ａ」、「メールマガジン」、「マイページ」、「用語集」、「ランキング」、「エンタメ・ワールド」の各コンテンツメニューが設けられており、これらのメニューから遊技者（会員）は所望するメニューを選択することで、これらのメニューにリンクされたサイト内の各ページが、サイトサーバ１１６の記憶装置１８４の処理プログラムに基づいて配信されるようになっている。
【０１１３】
このマイページにおいて、「機種情報」の項目を遊技者が選択すると、図１１（ｂ）に示すように、「新機種情報」、「機種検索」、「実践データ」、「設置店検索」の各サブメニューを含むサブメニューページがサイトサーバ１１６より配信されて表示される。
【０１１４】
この図１１（ｂ）に示すサブメニューページの各サブメニューの内、「新機種情報」のサブメニューを選択した場合には、図１１（ｃ）に示すように、パチンコとスロットの各種別毎に、パチンコ台データテーブル（図７（ａ）参照）に登録（記憶）されている最新の１０件（機種ＩＤは登録順に付与されている）の各パチンコ機の機種名や、前記パチスロ台データテーブル（図７（ｂ）参照）に登録（記憶）されている最新の１０件の各スロットマシンの機種名が選択操作可能に一覧表示された機種選択ページが、サイトサーバ１１６にて生成されて配信される。
【０１１５】
この図１１（ｃ）に示す機種選択ページにおいて、遊技者が例えば、「ＣＲ△△△」を選択した場合には、該選択に基づいてサイトサーバ１１６は、選択された機種名が「ＣＲ△△△」であると特定し、該特定した機種名である「ＣＲ△△△」に対応して前述のパチンコ台データテーブルに記憶されている各台データ並びに台画像データへのパスデータから特定される台画像データを読み出して図１１（ｄ）に示す新機種情報ページを生成して配信する機種情報ページ配信処理を実施することで、遊技者は選択した「ＣＲ△△△」の機種情報を確認することができる。尚、遊技者がスロットの機種名、例えば「００××」を選択した場合にも、パチンコ機の場合と同様に、機種名が「００××」と特定され、特定した機種名である「００××」に対応して前述のパチスロ台データテーブルに記憶されている各台データ並びに台画像データへのパスデータから特定される台画像データを含む新機種情報ページが生成されて配信される。
【０１１６】
また、図１２（ｂ）に示すサブメニューページ（前述の図１１（ｂ）に同じ）において、「機種検索」のサブメニューを選択した場合には、図１２（ｃ）に示すように、「（１）パチンコ機種検索」の項目と、「（２）パチスロ機種検索」の項目と、「（３）簡易機種名検索」の項目とが選択操作可能に表示される検索メニュー選択ページがサイトサーバ１１６から配信される。
【０１１７】
遊技者（会員）は、この検索メニュー選択ページにおいて、検索対象とする遊技機がパチンコ機である場合には、「（１）パチンコ機種検索」の項目を選択すれば良く、検索対象とする遊技機がスロットマシンである場合には、「（２）パチスロ機種検索」の項目を選択すれば良い。また、検索対象とする遊技機の機種名の一部でも判っている場合には、「（３）簡易機種名検索」の項目を選択すれば良い。
【０１１８】
この検索メニュー選択ページにおいて、遊技者が、例えば、検索対象とする遊技機がパチンコ機であるので「（１）パチンコ機種検索」の項目を選択した場合には、該選択に基づいてサイトサーバ１１６は、図１２（ｄ）に示すパチンコ機種検索ページを配信する。
【０１１９】
この本実施例のパチンコ機種検索ページには、図１２（ｄ）に示す如く、検索条件として機種名の全部または一部を入力することで、該入力された名称を含む機種がパチンコ台データテーブルから検索される「機種名」の入力部と、該パチンコ機種検索ページ内に一覧表示されているパチンコ機の各機種タイプの番号を入力することで当該機種タイプに該当するパチンコ台データテーブルに記憶されている機種が一覧表示される「機種タイプ」の入力部とが設けられており、遊技者は、これらの入力部に検索条件、例えば機種名の一部となる「△△△」を「機種名」の入力部に入力した後に、当該ページに設けられている「検索」の項目を選択する。
【０１２０】
該選択に基づいてサイトサーバ１１６は、「機種名」の入力部に入力されたテキスト（文字列）が「△△△」であると特定し、該特定したテキスト（文字列）「△△△」を機種名に含む機種名をパチンコ台データテーブルから検索して全てリスト抽出し、該抽出した機種名の一覧を含み、該機種名が選択操作可能とされた図１２（ｅ）に示すパチンコ機種検索結果ページを生成して配信する。
【０１２１】
そして、該パチンコ機種検索結果ページに検索対象とするパチンコ機の機種名が有る場合に、遊技者は、該検索対象とするパチンコ機の機種名、例えば「ＣＲ△△△」を選択することで、該選択された機種名である「ＣＲ△△△」（機種Ｄに該当）に対応して前述のパチンコ台データテーブルに記憶されている各台データ並びに台画像データへのパスデータから特定される台画像データを含む図１２（ｆ）に示す機種情報ページがサイトサーバ１１６により生成されて配信される機種情報ページ配信処理が実施される。尚、該パチンコ機種検索結果ページに検索対象とするパチンコ機の機種名が無かった場合には、該ページの下部に設けられている「コーナーＴＯＰへ」の項目を選択することで、図１２（ｃ）の検索メニュー選択ページが再度配信されて該検索メニュー選択ページに戻り、その他の検索方法を選択できるようになり、「ＴＯＰへ」の項目を選択することで、図１２（ａ）に示す会員トップページ（図１１（ａ）と同じ）が再度配信されて該会員トップページに戻ることができるようになっている、また、これら「コーナーＴＯＰへ」や「ＴＯＰへ」はその他の各ページにも同様に設けられており、これらの項目を選択することで同様のページに移行できるようになっている。
【０１２２】
つまり、本実施例のＣＰＵ１８２が処理プログラムにより実施する機種情報ページ配信処理においては、携帯電話機４００からのインターネット網１１９を介したログインによるアクセス（任意アクセス）に応じて予め記憶されている提供情報である機種情報を含む機種情報ページを生成して配信することで提供しており、該機種情報ページ配信処理を実施するＣＰＵ１８２により本発明における提供情報配信手段が形成されている。
【０１２３】
尚、前述の検索メニュー選択ページにおいて、遊技者が、例えば、「（２）パチスロ機種検索」の項目を選択した場合には、パチンコ機種検索ページと同様とされ、検索条件として機種名の全部または一部を入力することで、該入力された名称を含む機種がパチスロ台データテーブルから検索される「機種名」の入力部と、該パチスロ機種検索ページ内に一覧表示されているスロットマシンの各機種タイプの番号を入力することで当該機種タイプに該当するパチスロ台データテーブルに記憶されている機種が一覧表示される「機種タイプ」の入力部とが設けられていて、該パチスロ機種検索ページにて入力された検索条件に基づいて検索が実施されて、図１２（ｅ）に示すパチンコ機種検索結果ページと同様のパチスロ機種検索結果ページに検索されたパチスロ機の機種名の一覧が選択操作可能に表示され、該機種名一覧から検索対象の機種名を選択することで、該選択された機種名の機種情報ページが生成されて配信される。
【０１２４】
また、前述の検索メニュー選択ページにおいて、遊技者が、例えば、「（３）簡易機種検索」の項目を選択した場合には、パチンコ機種検索ページやパチスロ機種検索ページにおける「機種タイプ」の入力部を有しない「機種名」の入力部のみを有する図示しない簡易機種検索ページが配信されて、該簡易機種検索ページの「機種名」の入力部に、検索対象とする遊技機の機種名の少なくとも一部を入力することで、該当する機種が検索されて一覧表示された前述の図１２（ｅ）に示すパチンコ機種検索結果ページと同様の簡易機種検索結果ページが配信され、該簡易機種検索結果ページ機種名一覧から検索対象の機種名を選択することで、該選択された機種名の機種情報ページが生成されて配信される。
【０１２５】
そして、これら機種情報ページのを配信を受けた場合において、携帯電話機４００の制御部４５５は、該機種ページのＨＴＭＬデータに付加されている、当該機種情報ページに対応する機種の機種ＩＤと、該機種のパチンコ機１から出力される二次元バーコードに含まれる復号キーにより解凍される、当該機種の提供コンテンツの提供を受ける特別アクセスを行うための暗号化ＵＲＬを、一次アクセス情報テーブルに記憶する第１アクセス情報テーブル更新処理を実施する。
【０１２６】
つまり、本実施例の制御部４５５が制御プログラムに基づいて実施する第１アクセス情報テーブル更新処理においては、本発明のサービス提供装置となるサイトサーバ１１６への一次アクセス（任意アクセス）の実施に基づいて、該一次アクセスを実施したことを特定可能であるとともに、一次アクセスに応じてサイトサーバ１１６から提供された機種情報に対応する機種を特定可能な機種識別情報となる機種ＩＤを第１アクセス情報テーブルに記憶しており、該第１アクセス情報テーブル更新処理を実施する制御部４５５によって本発明における任意アクセス情報記憶手段が構成されている。
【０１２７】
遊技者は、このように、例えば、その日において遊技場において遊技したいと考えている機種、つまり、興味のある機種の機種情報を、サイトにアクセスして取得することができるようになっている。
【０１２８】
このように、事前に機種情報を取得した機種のパチンコ機１を遊技者が遊技した場合において、該遊技により大当りが発生した後、該大当り状態が終了する際に、該パチンコ機１においては、図２に示すように、可変表示装置９に二次元バーコードが表示出力される。
【０１２９】
具体的に、パチンコ機１の演出制御基板８０に搭載されている演出制御用マイクロコンピュータにより、二次元バーコード生成処理が実施されて可変表示装置９に表示出力する二次元バーコードが生成される。
【０１３０】
この本実施例の二次元バーコード生成処理において演出制御用マイクロコンピュータは、ＲＴＣ８１から出力されるその時点の時刻情報から成るタイムスタンプデータと、該パチンコ機１の機種ＩＤと、特別アクセス用の暗号化ＵＲＬを解凍するための復号キーデータとが符号化された二次元バーコードを生成して、大当り終了演出の終了時において、所定の時間に亘り、該生成した二次元バーコードを可変表示装置９に表示させる。
【０１３１】
つまり、本実施例のパチンコ機１は、所定条件の成立となる大当り状態の終了に応じて、本発明における特別アクセス情報となる二次元バーコードを、可変表示装置９に表示出力している。
【０１３２】
この二次元バーコードの表示に応じて遊技者は、図９に示すように、該表示された二次元バーコードを携帯電話機４００に搭載されている撮像部４６５にて撮像することで該二次元バーコードの読み取り（入力）を実施する。
【０１３３】
このようにして撮像部４６５にて撮像された二次元バーコードの画像は、制御部４５５（ＣＰＵ）に出力され、該制御部４５５（ＣＰＵ）がメモリ部４６０に記憶されている復号プログラムを実施することにより、該二次元バーコードに符号化されているタイムスタンプデータ、機種ＩＤ並びに復号キーが復号される。
【０１３４】
つまり、本実施例の携帯電話機４００は、遊技者が遊技可能なパチンコ機１（遊技機）から所定条件の成立となる大当り状態の終了に応じて表示される本発明における特別アクセス情報となる二次元バーコードを入力するための撮像部４６５を備えており、該撮像部４６５により本発明における特別アクセス情報入力手段が形成されている。
【０１３５】
尚、本実施例の二次元バーコードには、復号された復号キーにより解凍される暗号化ＵＲＬに基づく特別アクセス用ＵＲＬによるアクセスに際して、サイトへの会員登録において予めダウンロードしてある特定のプラグインモジュールプログラムを使用することを示す起動データも符号化されており、これら起動データが復号されることで、該特定のプラグインモジュールプログラムが使用されることによる特定形態のＨＴＴＰリクエスト、具体的には、二次元バーコードから復号された機種ＩＤや、２次アクセス情報テーブルに記憶されている当該機種ＩＤに対応するサービス被提供回数やサービス被提供機種数、サイト会員ＩＤの各データを含むＨＴＴＰリクエストがサイトサーバ１１６に送信されて特別アクセスが実施されるようになる。
【０１３６】
すなわち、二次元バーコードを復号した制御部４５５（ＣＰＵ）は、二次元バーコードの復号データに含まれる起動データに基づいて、特定のプラグインモジュールプログラムを有効とした形態にて、サイトにアクセスするためのブラウザを起動し、復号データに含まれる復号キーにより解凍した特別アクセス用ＵＲＬを含むとともに、特定のプラグインモジュールプログラムを実行することによる機能により、サイト会員ＩＤ、機種ＩＤに加えて、本発明におけるサービス提供機種数計数手段並びに計数手段を成す第２アクセス情報テーブルにて集計されたサービス被提供回数（実施回数）並びにサービス被提供機種数を含むＨＴＴＰリクエストが生成されてサイトサーバ１１６に送信される。
【０１３７】
また、本実施例の特定のプラグインモジュールプログラムに基づき制御部４５５（ＣＰＵ）は、これら特定形態のＨＴＴＰリクエストの送信による特別アクセスの実施に先だって、まず、二次元バーコードの復号データに含まれる機種ＩＤの記憶が、第１アクセス情報テーブルに存在するか否かを判定する判定処理を実施する（図９参照）。
【０１３８】
つまり、本実施例の制御部４５５がプラグインモジュールプログラムに基づいて実施する判定処理においては、特別アクセス情報入力手段となる撮像部４６５への二次元バーコード（特別アクセス情報）の入力を条件に、本発明における任意アクセス情報記憶手段となる第１アクセス情報テーブルに任意アクセス情報となる機種ＩＤが記憶されているか否かを判定しており、該判定処理を実施する制御部４５５によって本発明における判定手段が形成されている。
【０１３９】
そして、この判定において第１アクセス情報テーブルに機種ＩＤの記憶が存在しない場合には、サイトサーバ１１６から予めダウンロードされてメモリ部４６０に記憶されている誘導ページ、具体的には、本発明の任意アクセスをするためのログインページのＵＲＬと、特別アクセスによる提供コンテンツの提供には該ＵＲＬにアクセスして、遊技しているパチンコ機１の機種の機種情報を閲覧する必要がある旨を含む、本発明における誘導情報となる誘導ページが表示部４５６に表示される。
【０１４０】
つまり、本実施例における表示部４５６には、前記判定処理によって本発明における任意アクセス情報となる機種ＩＤが第１アクセス情報テーブルに記憶されていないと判定されたことに基づき、提供コンテンツの提供にはサイトサーバ１１６のＵＲＬへのアクセス（任意アクセス）が必要である旨を含む誘導ページ（誘導情報）が表示されており、該表示部４５６によって本発明における誘導情報表示手段が形成されている。
【０１４１】
一方、判定において第１アクセス情報テーブルに機種ＩＤの記憶が存在する場合には、二次元バーコードの復号データに含まれるタイムスタンプデータが、第２アクセス情報テーブルの前回提供ＩＤに格納されているデータと同一であるか否かを判定する前回提供ＩＤ判定処理を実施する。
【０１４２】
そして、該前回提供ＩＤ判定処理において双方のデータが同一であるとの判定結果である場合に制御部４５５は、可変表示装置９に表示された二次元バーコードの復号データを重複利用したことによる重複アクセスであると判定して、特別アクセスを実施することなく処理を中断し、重複アクセスである旨を含む図示しないエラーページを表示部４５６に表示する一方、双方のデータが同一でないとの判定結果である場合には、二次元バーコードの復号データに含まれるタイムスタンプデータを前回提供ＩＤに更新記憶した後、前述した特定形態のＨＴＴＰリクエストを送信するＨＴＴＰリクエスト送信処理を実施して、サイトサーバ１１６への特別アクセスを実施する。
【０１４３】
つまり、本実施例の制御部４５５がプラグインモジュールプログラムに基づいて実施するＨＴＴＰリクエスト送信処理においては、前記判定処理（判定手段）によって任意アクセス情報となる機種ＩＤが第１アクセス情報テーブルに記憶されていると判定されたこと、並びに二次元バーコード（特別アクセス情報）に含まれるタイムスタンプデータ（特別アクセス識別情報）が、既に特別アクセスを実施した二次元バーコードに含まれている特別アクセス識別情報である第２アクセス情報テーブルの前回提供ＩＤに記憶されているタイムスタンプデータと異なることを条件に、サイトサーバ１１６（サービス提供装置）に対して特別アクセスを実施しており、該ＨＴＴＰリクエスト送信処理を実施する制御部４５５によって本発明における特別アクセス実行手段が形成されている。
【０１４４】
この特別アクセスによる特定形態のＨＴＴＰリクエストの受信に応じてサイトサーバ１１６（ＣＰＵ１８２）は、受信したＨＴＴＰリクエストを解析するリクエスト解析処理を実施して、該解析により特定したサイト会員ＩＤ、機種ＩＤ、サービス被提供回数並びにサービス被提供機種数をそれぞれ抽出する。
【０１４５】
そして、リクエスト解析処理にて抽出したサイト会員ＩＤがサイト会員情報テーブルに存在するか否かに基づいて、特別アクセスしてきた遊技者が、サイトに会員登録している遊技者であるか否かを判定する。
【０１４６】
該判定において、サイト会員ＩＤが存在しない場合、例えば、一度サイトサーバ１１６においてサイト会員登録を実施した後、退会したことによりサイトに会員登録していない場合には、特別アクセスによるサービスの提供には、サイトに会員登録を実施して、遊技している機種の機種情報の閲覧が必要である旨と、サイトの会員登録のトップページのＵＲＬとを含む会員登録案内ページを配信し、携帯電話機４００は、該配信された会員登録案内ページを表示することで、遊技者に会員登録を促す。
【０１４７】
一方、判定において、サイト会員ＩＤがサイト会員情報テーブルに存在する場合、つまり特別アクセスしてきた遊技者がサイトに会員登録している場合には、受信したＨＴＴＰリクエストから前述したリクエスト解析処理にて抽出した機種ＩＤから特定される機種と、サービス被提供回数、並びに提供コンテンツ特定用データ（図８（ｂ））に基づいて、提供するサービスであるコンテンツの種別を特定する提供コンテンツ特定処理を実施する。
【０１４８】
具体的に、本実施例の提供コンテンツ特定処理においては、受信したＨＴＴＰリクエストから抽出したサービス被提供回数が該当するコンテンツ種別を、提供コンテンツ特定用データ（図８（ｂ）参照）に基づいて特定する。例えば、サービス被提供回数が１回であれば、提供コンテンツとして当該機種の待ち受けコンテンツｂを提供コンテンツとして特定する。
【０１４９】
そして、該提供コンテンツ特定処理にて特定した提供コンテンツ、例えば当該機種の待ち受けコンテンツｂのファイルを記憶装置１８４から読み出して該遊技者の携帯電話機４００に配信する提供コンテンツ配信処理を実施することで、携帯電話機４００において該配信された待ち受けコンテンツｂが表示される。
【０１５０】
そして、これら提供コンテンツを配信した後、サイトサーバ１１６（ＣＰＵ１８２）は、リクエスト解析処理にて抽出したサービス被提供機種数が、図８（ａ）に示すプレゼント景品用データの各項目の値に達したか否かを判定し、達している場合において該達した値に対応するプレゼント景品の申し込みが可能であることを遊技者に通知するともに、該プレゼント景品の申し込みを行うためのサービス提供メールを、該遊技者の電子メールアドレス、つまり、リクエスト解析処理にて抽出したサイト会員ＩＤに対応してサイト会員情報テーブルに記憶されている電子メールアドレスに対して送信するサービス提供メール送信処理を実施する。
【０１５１】
このようにしてサービス提供メールを受信した遊技者が、プレゼント景品を欲しい場合には、該サービス提供メールに記載されている配送先等の情報を入力した返信メールを送信することで、該プレゼント景品への申し込みを簡便に実施でき、プレゼント景品の提供というサービスの提供を受けられるようになる。
【０１５２】
つまり、本実施例のＣＰＵ１８２が処理プログラムに基づいて実施する提供コンテンツ配信処理並びにサービス提供メール送信処理においては、携帯電話機４００からのインターネット網１１９を介した特別アクセスに応じて、特別アクセス情報である二次元バーコードに含まれている機種ＩＤに対応する提供コンテンツ（所定のサービス）が提供されており、これら提供コンテンツ配信処理並びにサービス提供メール送信処理を実施するＣＰＵ１８２によって本発明におけるサービス提供手段が形成されている。
【０１５３】
一方、提供コンテンツの提供を受けた携帯電話機４００の制御部４５５は、サイトサーバ１１６から送信されてきた提供コンテンツを表示部４５６に表示するとともに、該特別アクセスに際して送信したＨＴＴＰリクエストに含めた機種ＩＤ、すなわち、パチンコ機１から取得した二次元バーコードの復号データに含まれていた機種ＩＤが、第２アクセス情報テーブルに既に記憶されている場合には、該機種ＩＤに対応する第２アクセス情報テーブルのサービス被提供回数に１を加算し、該機種ＩＤが第２アクセス情報テーブルに未だ記憶されていない場合には、該該機種ＩＤを新たに追加記憶するとともに対応するサービス被提供回数を「０」から「１」に変更し、更に、サービス被提供機種数に１を加算更新する第２アクセス情報テーブル更新処理を実施する。
【０１５４】
つまり、本実施例の制御部４５５がプラグインモジュールプログラムに基づいて実施する第２アクセス情報テーブル更新処理において、本発明における特別アクセス情報入力手段となる撮像部４６５への二次元バーコード（特別アクセス情報）の入力を条件に、当該二次元バーコード（特別アクセス情報）に含まれる機種ＩＤ（機種特定情報）から特定される機種の数、すなわち、サイトサーバ１１６における提供コンテンツ配信処理によって提供された提供コンテンツが対応する機種の数であるサービス被提供機種数を計数（集計）するとともに、撮像部４６５（前記特別アクセス情報入力手段）へ入力された異なるタイムスタンプデータ（特別アクセス識別情報）を含む二次元バーコード（特別アクセス情報）に基づき特別アクセスを実施することで、各機種毎の提供コンテンツ（所定のサービス）が提供された回数であるサービス被提供回数（実施回数）が計数（集計）されており、これら第２アクセス情報テーブル更新処理を実施する制御部４５５によって本発明におけるサービス提供機種数計数手段並びに計数手段が形成されている。
【０１５５】
尚、本実施例では、これらサービス被提供回数の更新やサービス被提供機種数の更新を、実際に提供コンテンツの提供を受けた際に実施するようにしているが、本発明はこれに限定されるものではなく、これらサービス被提供回数の更新やサービス被提供機種数の更新を、特別アクセスによるＨＴＴＰリクエストの送信前に実施して、これら更新後のサービス被提供回数やサービス被提供機種数に応じた提供コンテンツがサイトサーバ１１６から提供されるようにしても良いし、前述のＨＴＴＰリクエストに含めるサービス被提供回数を、第２アクセス情報テーブルの当該機種ＩＤに対応するサービス被提供回数に格納されている回数に１を加算した回数としたり、更には、サイトサーバ１１６における前述の提供コンテンツ特定処理において、受信したＨＴＴＰリクエストから抽出したサービス被提供回数に１を加算した回数に基づいて、提供コンテンツを特定するようにしても良い。
【０１５６】
この場合において携帯電話機４００は、異なるタイムスタンプデータ（特別アクセス識別情報）の入力回数を計数し、計数された入力回数を含むＨＴＴＰリクエストをサイトサーバ１１６に送信して特別アクセスを実施し、サイトサーバ１１６は、該入力回数に応じた所定のサービスを提供するようにする。
【０１５７】
具体的に携帯電話機４００は、提供コンテンツの提供を受けた際にカウントアップする図４（ｃ）のサービス被提供回数に代えて、異なるタイムスタンプデータが含まれる二次元バーコードが入力された際に、入力回数を計数する特別アクセス入力回数領域をメモリ部４６０内に設け、該入力された二次元バーコードに含まれるタイムスタンプデータ（特別アクセス識別情報）と図４（ｃ）の前回提供時ＩＤに記憶されているタイムスタンプデータが一致しないと判定されたことに基づき、特別アクセス入力回数をカウントアップ（計数）し、該入力された二次元バーコードに基づく特別アクセスにおいては、該カウントアップ済みの特別アクセス入力回数を含むＨＴＴＰリクエストを送信するようにし、サイトサーバ１１６は、受信した特別アクセス入力回数に応じた所定のサービスを提供する。
【０１５８】
また、これらタイムスタンプデータに代えて後述するように１〜５０の数値を使用する場合においては、携帯電話機４００にて記憶している全数値と該入力された二次元バーコードに含まれる数値とが異なることを条件として、特別アクセス入力回数をカウントアップ（計数）するようにすれば良い。
【０１５９】
つまり、携帯電話機４００（携帯端末）は、二次元バーコード（特別アクセス情報）を取得（入力）し、さらに二次元バーコードに含まれる特別アクセス識別情報（タイムスタンプデータ、数値）が異なること（特別アクセス情報が異なること）を条件として特別アクセス入力回数を計数する。
【０１６０】
さらに、この場合において携帯電話機４００は、異なる機種ＩＤ（機種特定情報）を含む二次元バーコードの入力回数である機種数を計数し、計数された機種数を含むＨＴＴＰリクエストをサイトサーバ１１６に送信して特別アクセスを実施し、サイトサーバ１１６は、該機種数に応じた所定のサービスを提供するようにする。
【０１６１】
具体的に携帯電話機４００は、提供コンテンツの提供を受けてサービス被提供回数が０から１に更新された際にカウントアップされる図４（ｃ）のサービス被提供機種数に代えて、その時点までに入力された二次元バーコードに含まれていた機種ＩＤ（機種特定情報）を全て記憶しておき、新たな二次元バーコードが入力された際に、該二次元バーコードに含まれている機種ＩＤが既に記憶されている機種ＩＤと異なると判定されたことに基づき、機種数をカウントアップ（計数）し、該入力された二次元バーコードに基づく特別アクセスにおいては、該カウントアップ済みの機種数を含むＨＴＴＰリクエストを送信するようにし、サイトサーバ１１６は、受信した機種数に応じた所定のサービスを提供する。
【０１６２】
つまり、携帯電話機４００（携帯端末）は、二次元バーコード（特別アクセス情報）を取得（入力）し、さらに該二次元バーコードに含まれる機種ＩＤ（機種特定情報）が、既に取得（入力）した二次元バーコードに含まれていた機種ＩＤと異なることを条件として機種数を計数する。
【０１６３】
次に、本実施例のサイトにおいて、新たな機種の機種情報を登録する場合においてサイトサーバ１１６にて実施される新規機種登録処理について、図１３のフロー図に基づき説明する。
【０１６４】
尚、これら新たな機種の機種情報は、サイトサーバ１１６を運営する遊技機メーカに設置された図示しない管理コンピュータから新たな機種の機種情報をアップロードすることにより実施される。
【０１６５】
まず、管理コンピュータにおいて新たな機種の機種情報のアップロード操作がなされることによりサイトサーバ１１６は、まず、新たな機種の機種情報のファイルデータの受付け（受信）を実施した後（Ｓ１）、該受付け（受信）した新たな機種の機種情報のファイルデータを記憶装置１８４に記憶する。
【０１６６】
そしてＳ３のステップに進み、該受付け（受信）した新たな機種の種別がパチンコであるか否か判定し、該種別がパチンコである場合には、該新たな機種の機種ＩＤと各台データ、台画像データファイル等へのパスデータ等を記憶してパチンコ台データテーブル（図７（ａ））を更新する一方（Ｓ４）、該種別がパチンコでなくスロットマシンである場合には、該新たな機種の機種ＩＤと各台データ、台画像データファイル等へのパスデータ等を記憶してパチスロ台データテーブル（図７（ｂ））を更新する（Ｓ５）。
【０１６７】
そして、Ｓ６のステップに進み、新たな機種の機種情報が登録されてサイトが更新されたことを、サイトに会員登録している遊技者に対して、電子メールにて通知する新規機種登録通知メール送信処理を実施する。
【０１６８】
具体的に本実施例の新規機種登録通知メール送信処理にあっては、サイトに新たに登録された機種の機種名やタイプ、台画像等の主要情報を含む新規機種登録通知メールを生成するとともに、該生成した新規機種登録通知メールを、サイト会員情報テーブルに登録されている各サイト会員の電子メールアドレスに対して送信する。
【０１６９】
つまり、本実施例のＣＰＵ１８２が処理プログラムに基づいて実施する新規機種登録通知メール送信処理においては、提供情報として新たな機種の機種情報がサイトに追加されたことに応じて、本発明における電子メールアドレス記憶手段となるサイト会員情報テーブルに記憶している電子メールアドレスに対して、新たな機種情報が追加された旨を通知する新規機種登録通知メール（更新メール）を送信しており、該新規機種登録通知メール送信処理を実施するＣＰＵ１８２によって本発明における更新メール送信手段が形成されている。
【０１７０】
以上、本実施例によれば、第１アクセス情報テーブル（任意アクセス情報記憶手段）に第１アクセス情報（任意アクセス情報）である、パチンコ機１から取得した二次元バーコードに含まれる機種ＩＤと同一の機種ＩＤが記憶されているときに、所定のサービスである各種の提供コンテンツが提供されるようになるので、遊技者は、各種の提供コンテンツの提供を受けるために、特別アクセス情報となる二次元バーコードの取得による特別アクセスの実施以前にサイトサーバ１１６に任意アクセスすることが必要とされることから、サイトサーバ１１６に任意アクセスすることに対する動機付けを実施できるとともに、サイトサーバ１１６に任意アクセスした人が、各種の提供コンテンツ（所定のサービス）の提供を受けるためには、遊技機であるパチンコ機１において遊技を実施して二次元バーコード（特別アクセス情報）を取得する必要があることから、パチンコ機１において実際に遊技することに対する動機付けを遊技者に対して実施できるという相乗効果を得ることができる。
【０１７１】
また、本実施例によれば、誘導情報となる誘導ページが携帯電話機４００の表示部４５６に表示されるので、任意アクセスすることなく特別アクセスを実施した遊技者、例えば、所定のサービスの提供にはサイトサーバ１１６に任意アクセスする必要があることを知らない遊技者や、サイト（サイトサーバ１１６）の存在を知らない遊技者を、誘導ページを提供することによりサイト（サイトサーバ１１６）に一次アクセス（任意アクセス）させることができるようになるので、サイト（サイトサーバ１１６）への一次アクセス（任意アクセス）数をより増加させることができる。
【０１７２】
また、本実施例によれば、一次アクセスすることで、予めサイト（サイトサーバ１１６）にて提供を受けた機種情報に対応する機種で遊技を実施することにより二次元バーコード（特別アクセス情報）を取得して特別アクセスを実施した場合において、該機種に対応した提供コンテンツ（所定のサービス）が提供されるようになるので、より多くの機種を遊技することに対する動機付けを遊技者に対して実施できる。
【０１７３】
また、本実施例によれば、新規機種登録通知メールをサイト会員に対して送信するようにしており、新たな機種の機種情報が追加されたことを遊技者に対して迅速に通知できるので、遊技者は、これら新機種についても特別アクセス情報である二次元バーコードを該新機種の遊技機から取得する以前に、事前にサイトで該新機種の機種情報の提供を受けられるようになるので、該新機種に対応した提供コンテンツ（所定のサービス）を受ける事が出来る。
【０１７４】
また、本実施例によれば、第２アクセス情報テーブルのサービス被提供機種数において計数された機種数に応じた所定サービス、具体的には、機種数の数値に応じたプレゼント景品を提供するためのサービス提供メールが送信されるので、より多くの機種を遊技することに対する動機付けを遊技者に対して実施できる。
【０１７５】
また、本実施例によれば、第２アクセス情報テーブルのサービス被提供回数、つまり、二次元バーコード（特別アクセス情報）の取得による特別アクセスの実施回数に応じた提供コンテンツ（サービス）が提供されるようになるので、パチンコ機１において繰返し遊技を行うことに対する動機付けを遊技者に対して実施できる。
【０１７６】
以上、本発明の実施例を図面により説明してきたが、具体的な構成はこれら実施例に限られるものではなく、本発明の要旨を逸脱しない範囲における変更や追加があっても本発明に含まれる。
【０１７７】
例えば、前記実施例では、第１アクセス情報テーブルの機種ＩＤ等のデータを、該第１アクセス情報テーブルのデータを更新する際に最終更新日を確認し、更新日時データの日付がその時点の日付と同一でない場合には、第１アクセス情報テーブルのデータを全てリセットする第１アクセス情報消去処理を実施することで、これら第１アクセス情報テーブルの任意アクセス情報となる機種ＩＤの記憶は、その当日においては第１アクセス情報消去処理が実施されずに有効とされるので、１日に一度、遊技中の機種の機種情報を閲覧すれば、その当日において、該機種のパチンコ機１から二次元バーコードを繰返し取得して特別アクセスを実施して提供コンテンツの提供を受けられるようになっているが、本発明はこれに限定されるものではなく、これら任意アクセスの情報となる機種ＩＤの記憶を、該機種ＩＤを含むＨＴＴＰリクエストをサイトサーバ１１６に送信して特別アクセスすることを条件として、該任意アクセスの情報となる機種ＩＤの記憶を消去する第１アクセス情報消去処理を実施するようにしても良く、このようにすることで、特別アクセスを実施する毎、つまり、該特別アクセスによる提供コンテンツ（所定のサービス）の提供毎に、サイトへアクセスして当該機種情報の閲覧が必要となるので、サイトへのアクセス数を増加させることができる。
【０１７８】
つまり、これら特別アクセスを実施する毎に第１アクセス情報消去処理を実施する形態において携帯電話機４００（制御部４５５）は、特別アクセスの実施により、本発明におけるサービス提供手段となる提供コンテンツ配信処理にて、提供コンテンツ（所定のサービス）の提供を受けたことを条件に、当該提供コンテンツ（所定のサービス）の提供に伴って、本発明における判定手段となる制御部４５５が実施する判定処理における判定の対象とした任意アクセス情報となる機種ＩＤの第１アクセス情報テーブルにおける記憶を、無かったものとみなすために消去しており、該第１アクセス情報消去処理を実施する制御部４５５によって、本発明における請求項６における任意アクセス情報無効化手段が形成される。
【０１７９】
また、前記実施例並びに上記第１アクセス情報消去処理を実施する形態では、任意アクセスの情報を無かったものとみなす処理として、対象の機種ＩＤを消去しているが、本発明はこれに限定されるものではなく、これら任意アクセス情報である各機種ＩＤの記憶に基づく特別アクセスにより所定のサービスの提供が実施されたことを示すフラグデータを、各機種ＩＤ毎に個別に記憶する処理を、任意アクセスの情報を無かったものとみなす処理として実施しても良く、これら任意アクセス情報を無かったものとみなす処理の形態としては、任意アクセスの情報の記憶形態等に応じて適宜に選択すれば良い。
【０１８０】
また、前記実施例においては、携帯電話機４００が、サイトサーバ１１６から暗号化ＵＲＬを取得し、パチンコ機１（遊技機）から暗号化ＵＲＬを復号するための復号キーを取得する形態を例示しているが、本発明はこれに限定されるものではなく、逆に、サイトサーバ１１６から機種毎の復号キーを取得し、パチンコ機１（遊技機）からは、暗号化ＵＲＬを含む二次元バーコードを取得する形態としても良い。尚、この場合、サイトサーバ１１６から取得する機種毎の復号キーが、請求項１、８、９、１０における任意アクセス情報に該当する。つまり、該復号キーを記憶し、前記暗号化されたＵＲＬが復号されたことを条件として特別アクセスを実施する。
【０１８１】
また、前記実施例では、二次元バーコードに復号キーを含める形態を例示しているが、本発明はこれに限定されるものではなく、前述した従来例と同様に、これら二次元バーコードに特別アクセスを実施するＵＲＬデータを含めておき、サイトサーバ１１６へのログインによる任意アクセスによる機種情報のＨＴＭＬデータが、これら当該機種情報ページに対応する機種のパチンコ機１において表示出力される二次元バーコードに含まれるＵＲＬへのアクセスを許諾する許諾データを含むようにしておき、これら各機種に対応する許諾データの記憶が存在することを条件として、特別アクセスを実施するようにしても良い。
【０１８２】
また、前記実施例においては、本発明における任意アクセスとなるサイトへのログインによるアクセスにおいて、機種情報ページを閲覧することにより、該機種情報ページのＨＴＭＬデータに付加されている機種ＩＤと暗号化ＵＲＬとを一次アクセス情報テーブルに任意アクセス情報として記憶するようにしているが、本発明はこれに限定されるものではなく、これら任意アクセスの有無を機種毎に管理せずに、サイトへのログインを実施すれば任意アクセスがあったものとして、任意アクセスがあった旨のフラグや履歴を記憶しておき、特別アクセス情報である二次元バーコードの取得による特別アクセスを実施する際に、該取得した二次元バーコードに含まれている機種ＩＤの記憶の有無に係わらず、サイトへのログインによる任意アクセスがあった旨のフラグや履歴の記憶があった場合に携帯電話機４００は、特別アクセスを実施するようにしても良い。
【０１８３】
また、前記実施例においては、特別アクセス情報である二次元バーコードの表示出力するパチンコ機１を主に例示しているが、本発明はこれに限定されるものではなく、前述した特許文献１に示されているように、二次元バーコードをスロットマシン６００に表示するようにしても良いし、更には、遊技機としては、遊技場に設置されたパチンコ機１やスロットマシン６００ではなく、ゲームセンタ等に設置されたゲーム機等において、これら二次元バーコードを表示して、当該ゲーム機に対応したコンテンツを提供するようにしても良い。
【０１８４】
また、前記実施例においては、個々の二次元バーコードを識別するために、演出制御基板８０にＲＴＣ８１を搭載して、その時点の時刻情報に基づくタイムスタンプデータを特別アクセス識別情報としているが、本発明はこれに限定されるものではなく、これら特別アクセス識別情報としては、個々の二次元バーコードを識別可能とするものであれば良く、例えば、遊技機が１〜５０の数値の内、前回において二次元バーコードに使用した数値ではない１つの数値を選択して特別アクセス識別情報として使用しても良い。尚、この場合には、前記実施例のように前回においてパチンコ機１から取得した数値だけでなく、取得した二次元バーコードに含まれていた全ての数値を記憶するようにしておく。
【０１８５】
また、前記実施例においては、特別アクセスに際して、遊技者がサイトの会員であることもサービス提供の条件の１つとしているため、特別アクセスに際してサイト会員ＩＤを含むＨＴＴＰリクエストを携帯電話機４００が送信するようにしているが、本発明はこれに限定されるものではなく、これら特別アクセスに際して、特別アクセス用のログインページをサイトサーバ１１６が携帯電話機４００に送信して、遊技者からサイト会員ＩＤとパスワードの入力を受付けて、サイト会員ＩＤとパスワードとを取得するようにしても良いし、更には、これらサイトの会員であることをサービス提供の条件としない場合には、特別アクセスに際してサイト会員ＩＤを含まないＨＴＴＰリクエストを送信するようにしても良い。
【０１８６】
また、前記実施例においては、携帯電話機４００（制御部４５５）が、特別アクセスに際して前回提供ＩＤ判定処理を実施することで、パチンコ機１から取得した二次元バーコードによる特別アクセスによる提供コンテンツの提供を、１回に限り許諾するように制限しているが、本発明はこれに限定されるものではなく、これら前回提供ＩＤ判定処理を実施せずに、取得した二次元バーコードに含まれているタイムスタンプデータが前回提供ＩＤに記憶されているタイムスタンプデータと同一であっても、特別アクセスを実施して提供コンテンツの提供を受け、サービス被提供回数の集計（カウント）を実施するようにしても良い。
【０１８７】
また、前記実施例においては、特別アクセスにおいて提供する提供コンテンツとして、特別アクセス情報となる二次元バーコードを取得したパチンコ機１の機種に対応する提供コンテンツが提供されるようにしているが、本発明はこれに限定されるものではなく、これら提供するコンテンツとしては、これら二次元バーコードを取得した機種に係わらず、共通した提供コンテンツを提供するようにしても良い。
【０１８８】
また、前記実施例では、新規機種登録通知メール送信処理を実施することで、新規機種登録通知メールをサイトにおいて会員となっている遊技者に送信するようにしているが、本発明はこれに限定されるものではなく、これら新規機種登録通知メールを送信しない構成としても良い。
【０１８９】
また、前記実施例では、特別アクセス情報の出力形態として、遊技機が可変表示装置９に二次元バーコードを表示する形態を例示したが、本発明はこれに限定されるものではなく、特別アクセス情報の出力形態を、その他の出力形態、例えば、大当りの終了演出において出力される音に、例えばＯＦＤＭ変調して出力して、携帯電話機４００にてこのＯＦＤＭ変調された音を復調してデータを復元するようにしても良いし、特別アクセス情報を赤外線データ通信や近距離無線データ通信により携帯電話機４００に送信するようにしても良い。
【０１９０】
また、前記実施例では、携帯端末として遊技者の携帯電話機４００を例示しているが、本発明はこれに限定されるものではなく、これら携帯端末としては、遊技者が携行可能なものであって、オープンコンピュータネットワークであるインターネット網に接続可能なものであれば利用可能であることは言うまでもなく、例えば、電子手帳等のＰＤＡやゲーム機、小型のノートパソコン等であっても良い。
【０１９１】
また、前記実施例では、本発明のサービス提供装置となるサイトサーバ１１６を、１つのサーバコンピュータにて形成しているが、本発明はこれに限定されるものではなく、例えば、これらサービス提供装置を、機種情報等の提供情報を提供する機能を担う情報提供サーバコンピュータと、提供コンテンツの提供等の所定のサービス提供を行うサービス提供サーバコンピュータの２つのサーバコンピュータにて構成し、これら２つのサーバコンピュータが連携してサービス提供装置における各手段となる機能を有するようにしても良い。
【０１９２】
つまり、このように情報提供サーバコンピュータとサービス提供サーバコンピュータとでサービス提供装置を構成する場合においては、提供情報配信手段は情報提供サーバコンピュータが有し、サービス提供手段はサービス提供サーバコンピュータが有するようにすれば良い。
【０１９３】
また、前記実施例では、誘導情報となる誘導ページを、サイトへの会員登録においてサイトサーバ１１６から予めダウンロードしてメモリ部４６０に記憶しておき、特別アクセスに際しての判定処理において、一次アクセス情報テーブルに取得した二次元バーコードの復号データに含まれる機種ＩＤの記憶ないと判定されたときに、メモリ部４６０に予め記憶されている該誘導ページを表示するようにしており、このようにすることで、これら判定処理において機種ＩＤの記憶ないと判定された場合におけるサイトサーバ１１６への不要なアクセスを低減できることから好ましいが、本発明はこれに限定されるものではなく、これら判定処理において機種ＩＤの記憶ないと判定された場合において、該判定結果をサイトサーバ１１６に送信し、サイトサーバ１１６は、該判定結果の受信に応じて誘導ページを返信することで、携帯電話機４００において該誘導ページが表示されるようにしても良い。
【０１９４】
また、前記実施例では、携帯電話機４００は、暗号化されたＵＲＬを記憶しておき、二次元バーコードにシンボル化されている情報に含まれる復号キーに基づき前記暗号化されたＵＲＬを復号し、当該復号されたＵＲＬに基づき、特別アクセスを実施するようにしているが、本発明はこれに限定されるものではなく、ＵＲＬは暗号化されていないものであっても良い。例えば、二次元バーコードにシンボル化されている情報に暗号化されていないＵＲＬを含め、該二次元バーコードを取り込んだ携帯電話機４００のプラグインモジュールプログラムは、任意アクセス情報（機種ＩＤ）を記憶していると判定したことを条件に、前記任意アクセス情報（機種ＩＤ）が記憶されている旨を示す任意情報を含めて該ＵＲＬに特別アクセスし、サイトサーバ１１６は、該特別アクセスに基づき、任意情報が含まれていると判定したことを条件として、所定のサービスを提供するようにしても良い。つまり、この場合、任意情報を含むサイトサーバ１１６へのアクセス（ＨＴＴＰリクエストの送信）が、請求項１、８、９、１０における特別アクセスとなり、該任意情報を含まないサイトサーバ１１６へのアクセス（ＨＴＴＰリクエストの送信）は、特別アクセスに該当しないと判定して、サイトサーバ１１６が該特別アクセスに該当しないと判定したアクセスを例えば拒否することで、任意アクセスを行った携帯端末とは異なる携帯端末に二次元バーコードにシンボル化されている情報に含まれるＵＲＬを直接入力してアクセスがなされた場合であっても所定のサービスが提供されてしまうことがなく、確実に任意アクセスを行った遊技者に所定のサービスを提供することができる。
【０１９５】
また、前記実施例において携帯電話機４００は、特別アクセスを実施し、サイトサーバ１１６から提供される提供コンテンツを受信したことを条件として、サービス被提供回数をカウントアップ（計数）しているが、本発明はこれに限定されるものではなく、特別アクセス情報入力手段となる撮像部４６５に入力された二次元バーコード、つまり、パチンコ機１から取得した二次元バーコードに基づく特別アクセスを実施したことを条件として、サービス被提供回数をカウントアップ（計数）するようにしても良い。
【０１９６】
また、前記実施例において携帯電話機４００は、特別アクセスを実施し、サイトサーバ１１６から提供される提供コンテンツを受信して、サービス被提供回数が０から１に更新されたことを条件として、サービス被提供機種数をカウントアップ（計数）しているが、本発明はこれに限定されるものではなく、特別アクセス情報入力手段となる撮像部４６５に入力された二次元バーコード、つまり、パチンコ機１から取得した二次元バーコードに含まれる機種ＩＤに対応するサービス被提供回数が０である場合において、該機種ＩＤを含むＨＴＴＰリクエストの送信による特別アクセスを実施したことを条件として、サービス被提供機種数をカウントアップ（計数）するようにしても良い。
【図面の簡単な説明】
【０１９７】
【図１】本発明の実施例におけるサービス提供システムの構成を示すシステム構成図である。
【図２】本発明の実施例に用いたパチンコ機１を示す正面図である。
【図３】本発明の実施例に用いたパチンコ機１の構成を示すブロック図である。
【図４】（ａ）は、本発明の実施例に用いた携帯電話機４００の構成を示すブロック図であり、（ｂ）は、本発明の実施例に用いた第１アクセス情報テーブルを示す図であり、（ｃ）は、本発明の実施例に用いた第２アクセス情報テーブルを示す図である。
【図５】本発明の実施例に用いたサイトサーバ１１６の構成を示すブロック図である。
【図６】本発明の実施例に用いたサイト会員情報テーブルを示す図である。
【図７】（ａ）は、本発明の実施例に用いたパチンコ台データテーブルを示す図であり、（ｂ）は、本発明の実施例に用いたパチスロ台データテーブルを示す図である。
【図８】（ａ）は、本発明の実施例に用いたプレゼント景品用データの内容を示す図であり、（ｂ）は、本発明の実施例に用いた提供コンテンツ特定用データの内容を示す図である。
【図９】本発明の実施例におけるパチンコ機１と携帯電話機４００とサイトサーバ１１６間のデータの流れを示す図である。
【図１０】本発明の実施例のサイトへの会員登録における配信ページの流れを示す図である。
【図１１】本発明の実施例のサイトにおける配信ページの流れを示す図である。
【図１２】本発明の実施例のサイトにおける配信ページの流れを示す図である。
【図１３】本発明の実施例のサイトサーバ１１６における新規機種登録処理の処理内容を示すフロー図である。
【符号の説明】
【０１９８】
１        パチンコ機
６        遊技盤
７        遊技領域
９        可変表示装置
８０      演出制御基板
１１９    インターネット網
１２０    会員管理コンピュータ
１８４    記憶装置
１８８    第１通信部
１８９    第２通信部
４００    携帯電話機
４５１    音声入力部
４５２    音声出力部
４５３    ディジタル信号処理部
４５５    制御部
４５６    表示部
４５７    操作部
４６０    メモリ部
４６５    撮像部
５６０    遊技制御用マイクロコンピュータ
【図１】
2008200062.tif 000003
【図２】
2008200062.tif 000004
【図３】
2008200062.tif 000005
【図４】
2008200062.tif 000006
【図５】
2008200062.tif 000007
【図６】
2008200062.tif 000008
【図７】
2008200062.tif 000009
【図８】
2008200062.tif 000010
【図９】
2008200062.tif 000011
【図１０】
2008200062.tif 000012
【図１１】
2008200062.tif 000013
【図１２】
2008200062.tif 000014
【図１３】
2008200062.tif 000015